(57)【特許請求の範囲】
【請求項１】
固定筒からの光軸方向への繰り出しおよび該固定筒への繰り入れを可能とする可動レンズ鏡筒を備えるレンズ鏡胴に装着されるレンズキャップであって、
前記固定筒へ装着するための環状の装着部と、
該装着部の内方を塞ぎつつ前記可動レンズ鏡筒の先端を覆うべく該装着部に設けられた少なくとも１つのバリアと、を備え、
該バリアは、光軸方向に直交する開閉軸線回りに回転可能に前記装着部に支持され、
前記バリアには、該バリアが前記装着部の内方を塞いだ状態において前記可動レンズ鏡筒と対向される裏面から、光軸方向に直交する方向で見た前記可動レンズ鏡筒における有効径の外側で、前記可動レンズ鏡筒の先端へ向けて突出するカム突起が設けられ、
前記カム突起が前記先端の周縁部を乗り越えて前記可動レンズ鏡筒の外周面に変移する際に、少なくとも前記バリアが画角の外側に存在される必要開状態まで回転され、
前記必要開状態では、前記バリアが開き方向へと最も回転した最大開状態よりも前記バリアにおける開き角が小さく、
前記可動レンズ鏡筒が広角位置まで繰り出すと、前記バリアが前記必要開状態となり、
前記可動レンズ鏡筒が望遠位置まで繰り出すと、前記バリアが前記必要開状態からさらに開き方向へと回転することを特徴とするレンズキャップ。
【請求項２】
前記バリアの前記裏面は、前記バリアが前記装着部の内方を塞いだ状態において、前記可動レンズ鏡筒の先端を覆う平面部と、該平面部から前記可動レンズ鏡筒の先端へ向けて突出しつつ前記開閉軸線に直交する方向に伸びるリブ突起部と、を有することを特徴とする請求項１に記載のレンズキャップ。
【請求項３】
前記装着部は、前記固定筒へ装着されると、該固定筒に収納された前記可動レンズ鏡筒の先端と前記バリアの前記裏面との間に収容空間を形成することを特徴とする請求項１または請求項２に記載のレンズキャップ。
【請求項４】
前記バリアは、前記装着部に沿う一辺を有するとともに該装着部の内方を分割した形状を呈して少なくとも２つ設けられ、
前記各バリアには、互いに隣接する箇所に区画壁部が設けられ、
該各区画壁部では、互いに隣接する一方から他方へ向けて突出する段状部分が形成され、
該各段状部分は、前記各バリアが前記装着部の内方を塞いだ状態において、互いに隣接する前記区画壁部の間で光軸方向で重なり合うことを特徴とする請求項１から請求項３のいずれか１項に記載のレンズキャップ。
【請求項５】
前記各カム突起は、前記裏面からの突出量が異なるものとされていることを特徴とする請求項４に記載のレンズキャップ。
【請求項６】
前記各バリアでは、隣接するすべての前記区画壁部に対して被写体側で重なる前記段状部分を有する前記バリアに設けられた前記カム突起の前記裏面からの突出量を最も大きく設定し、隣接する前記区画壁部に対する被写体側で重なる前記段状部分の個数の減少に合わせて前記カム突起の前記裏面からの突出量を段階的に小さく設定していることを特徴とする請求項５に記載のレンズキャップ。
【請求項７】
請求項１から請求項６のいずれか１項に記載のレンズキャップであって、
さらに、前記開閉軸線回りで前記装着部の内方を塞ぐ方向へと前記バリアに押す力を付与する押圧部材が設けられていることを特徴とするレンズキャップ。
【請求項８】
前記押圧部材は、前記開閉軸線を取り巻きつつ一端が前記装着部に固定されかつ他端が前記バリアに固定されるトーションバネであり、
前記バリアには、前記開閉軸線回りで前記必要開状態よりも開き方向へと回転された際、前記装着部に固定された前記一端を受け入れる切欠溝が設けられていることを特徴とする請求項７に記載のレンズキャップ。
【発明の詳細な説明】
【技術分野】
【０００１】
本発明は、デジタルカメラ等の撮像装置に用いられるレンズキャップに関する。
【背景技術】
【０００２】
従来、デジタルスチルカメラやデジタルビデオカメラ（以下、「デジタルカメラ」という）等の撮像装置では、少なくとも１つのレンズを保持する可動レンズ鏡筒が固定筒の内方に設けられ、その可動レンズ鏡筒が、固定筒から適宜繰り出すことと、固定筒内に収納することと、を行うレンズ鏡胴を用いるものがある。このようなレンズ鏡胴には、可動レンズ鏡筒の収納時に固定筒にレンズキャップを装着することにより、レンズ鏡胴、特にその可動レンズ鏡筒に設けられたレンズを保護することが知られている。
【０００３】
このようなレンズキャップでは、固定筒への装着のための環状の装着部と、その装着部の内方で可動レンズ鏡筒の先端を覆うべく装着部に回転可能に設けられた少なくとも１枚のバリアと、を備えるものが考えられている（特許文献１参照）。このレンズキャップでは、固定筒から可動レンズ鏡筒が繰り出されると、その可動レンズ鏡筒の先端部でバリアの裏面が押されることにより当該バリアが開いた状態となる。また、レンズキャップでは、固定筒内へと可動レンズ鏡筒が収納されると、その可動レンズ鏡筒の先端部からバリアの裏面が押されることがなくなることにより当該バリアが閉じた状態となる。このため、使用者は、レンズキャップの装着および取り外しの作業を行う必要がなく、使い勝手の向上が図られている。
【発明の概要】
【発明が解決しようとする課題】
【０００４】
しかしながら、上記した従来の技術では、バリアの裏面が固定筒に対して移動される可動レンズ鏡筒の先端部で押されることにより、バリアを開いた状態とするものであることから、固定筒に対する可動レンズ鏡筒の繰り出し量（移動量）が小さく設定されたレンズ鏡胴に用いるとバリアを十分に開いた状態とすることが困難となるので、このようなレンズ鏡胴に対応する観点から改良の余地がある。
【０００５】
本発明は、上記の事情に鑑みて為されたもので、固定筒に対する可動レンズ鏡筒の繰り出し量の小さな設定のレンズ鏡胴であっても、バリアを確実に開いた状態とすることのできるレンズキャップを提供することを目的とする。
【課題を解決するための手段】
【０００６】
請求項１に記載のレンズキャップは、固定筒からの光軸方向への繰り出しおよび該固定筒への繰り入れを可能とする可動レンズ鏡筒を備えるレンズ鏡胴に装着されるレンズキャップであって、前記固定筒へ装着するための環状の装着部と、該装着部の内方を塞ぎつつ前記可動レンズ鏡筒の先端を覆うべく該装着部に設けられた少なくとも１つのバリアと、を備え、該バリアは、光軸方向に直交する開閉軸線回りに回転可能に前記装着部に支持され、前記バリアには、該バリアが前記装着部の内方を塞いだ状態において前記可動レンズ鏡筒と対向される裏面から、光軸方向に直交する方向で見た前記可動レンズ鏡筒における有効径の外側で、前記可動レンズ鏡筒の先端へ向けて突出するカム突起が設けられ、前記カム突起が前記先端の周縁部を乗り越えて前記可動レンズ鏡筒の外周面に変移する際に、少なくとも前記バリアが画角の外側に存在される必要開状態まで回転され、前記必要開状態では、前記バリアが開き方向へと最も回転した最大開状態よりも前記バリアにおける開き角が小さく、前記可動レンズ鏡筒が広角位置まで繰り出すと、前記バリアが前記必要開状態となり、前記可動レンズ鏡筒が望遠位置まで繰り出すと、前記バリアが前記必要開状態からさらに開き方向へと回転することを特徴とする。
【発明の効果】
【０００７】
請求項１に記載のレンズキャップでは、固定筒に対する可動レンズ鏡筒の繰り出し量の小さな設定のレンズ鏡胴であっても、バリアを確実に開いた状態とすることができる。
【図面の簡単な説明】
【０００８】
【図１】本発明に係るレンズキャップ５０の装着対象の一例としてレンズ鏡胴１３を有するデジタルカメラ１０を示す模式的な斜視図であり、（ａ）は可動レンズ鏡筒４０が外装部３２の内方に収納された状態（収納状態）を示し、（ｂ）は可動レンズ鏡筒４０が外装部３２から繰り出された状態（撮影状態）を示している。
【図２】デジタルカメラ１０における制御ブロックを示す説明図である。
【図３】レンズ鏡胴１３の構成を説明するために、外装部３２、可動レンズ鏡筒４０の直進筒４１、第１レンズ保持枠４４、第１レンズ群１２ａおよび押え環状部材４５を部分的な断面で示すとともに、撮像素子２２、ベース部材３４、基板３５および回転筒４２を二点鎖線で示す説明図である。
【図４】レンズ鏡胴１３の鏡胴側連結部３８の構成を説明するための説明図であり、鏡胴側連結部３８からリングキャップ３６を取り外した状態を示している。
【図５】レンズ鏡胴１３にレンズキャップ５０が装着されたデジタルカメラ１０を示す説明図であり、（ａ）はレンズキャップ５０が閉状態である様子を正面（被写体側）から見た正面図で示し、（ｂ）はレンズキャップ５０が必要開状態である様子を正面側（被写体側）の斜め上方から見た斜視図で示す。
【図６】レンズキャップ５０を、装着状態における正面（被写体側）から見た様子を示す説明図である。
【図７】レンズキャップ５０の各構成部品を分解して示す説明図である。
【図８】図７のＩ−Ｉ線に沿って得られる断面図である。
【図９】第１バリア５２１（各バリア５２）の構成を説明するための説明図であり、（ａ）は先端側（被写体側）から見た様子を示し、（ｂ）は背面側（裏面側）から見た様子を示す。
【図１０】閉状態における第１バリア５２１の側方区画壁部６７１Ａの段状部分７３１Ａと、第３バリア５２３の側方区画壁部６７３Ａの段状部分７３３Ａと、の位置関係を説明するための説明図である。
【図１１】閉状態における各バリア５２において隣接する区画壁部６７の段状部分７３の位置関係を説明するための説明図であり、（ａ）は第１バリア５２１の側方区画壁部６７１Ａと第４バリア５２４の側方区画壁部６７４Ａとの関係を示し、（ｂ）は第２バリア５２２の側方区画壁部６７２Ａと第３バリア５２３の側方区画壁部６７３Ａとの関係を示し、（ｃ）は第２バリア５２２の側方区画壁部６７２Ａと第４バリア５２４の側方区画壁部６７４Ａとの関係を示し、（ｄ）は第１バリア５２１の内端区画壁部６７１Ｂと第２バリア５２２の内端区画壁部６７２Ｂとの関係を示す。
【図１２】各バリア５２におけるその裏面からのカム突起６８の突出量の差異を説明するための説明図である。
【図１３】レンズキャップ５０が形成する収容空間７５に光学フィルタ７７が設けられた様子を示す図３と同様の説明図である。
【図１４】レンズキャップ５０の各バリア５２が外装部３２に対する可動レンズ鏡筒４０の位置に応じて移動される様子を説明するためにカム突起６８の周辺を拡大して示す図３と同様の説明図であり、（ａ）は可動レンズ鏡筒４０が収納状態であってレンズキャップ５０が閉状態である様子を示し、（ｂ）は直進筒４１の先端面４１ｃにカム突起６８が当たった様子を示し、（ｃ）は直進筒４１の先端面４１ｃにカム突起６８が押されている様子を示し、（ｄ）は直進筒４１の外周面４１ｄにカム突起６８が当たり必要開状態とされた様子を示す。
【図１５】レンズキャップ５０の各バリア５２が外装部３２に対する可動レンズ鏡筒４０の位置に応じて移動される様子を説明するためにカム突起６８の周辺を拡大して示す図３と同様の説明図であり、（ａ）は直進筒４１の外周面４１ｄにカム突起６８が当たり必要開状態とされた様子を示し、（ｂ）は可動レンズ鏡筒４０の直進筒４１の先端面４１ｃにリブ突起部６２が当たった様子を示し、（ｃ）は直進筒４１の先端面４１ｃにリブ突起部６２が押されている様子を示し、（ｄ）は直進筒４１の外周面４１ｄにリブ突起部６２が当たった様子を示す。
【図１６】レンズ鏡胴１３にレンズキャップ５０が装着された状態において、さらにレンズフード７８が取り付けられたデジタルカメラ１０を示す説明図である。
【図１７】レンズ鏡胴１３にレンズキャップ５０が装着された状態において、さらにレンズフード７８が取り付けられた様子を示す説明図であり、（ａ）はレンズキャップ５０とレンズフード７８との位置関係を示し、（ｂ）は（ａ）に示す矢印Ａ１０から見た様子を拡大して示している。
【発明を実施するための形態】
【０００９】
以下に、本願発明に係るレンズキャップの実施例について図面を参照しつつ説明する。
【実施例】
【００１０】
本発明に係るレンズキャップの一実施例としてのレンズキャップ５０およびそれが装着される撮像装置の一実施例としてのデジタルカメラ１０の概略的な構成を、図１から図１７を用いて説明する。なお、図３では、理解容易のために、外装部３２、可動レンズ鏡筒４０の直進筒４１、第１レンズ保持枠４４、第１レンズ群１２ａおよび押え環状部材４５を部分的な断面で示すとともに、回転筒４２、ベース部材３４、基板３５および撮像素子２２を二点鎖線で示し、回転筒４２の内方に設けられる構成を省略して示している。
【００１１】
まず、レンズ鏡胴１３を有する撮像装置の一例としてのデジタルカメラ１０を、図１から図４を用いて説明する。デジタルカメラ１０は、図１に示すように、カメラ本体１１の前面（図１を正面視して手前側の面）側に撮影光学系１２を有するレンズ鏡胴１３が設けられている。図示の例では、レンズ鏡胴１３は、カメラ本体１１に対して着脱自在なレンズ鏡胴ユニットとして構成されている。その撮影光学系１２は、最も被写体側に配置される第１レンズ群１２ａや、図示は略すが、固定レンズ、ズームレンズ、シャッタユニットおよび絞りユニット等の複数の光学部材を備える。レンズ鏡胴１３は、撮影光学系１２の光軸（撮影光軸ＯＡ）に沿って、所定の収納位置（図１（ａ）参照）から所定の撮影待機位置（図１（ｂ）参照）へ向けて繰り出すことと、所定の収納位置に繰り入れることと（進退移動）が可能とされている。
【００１２】
カメラ本体１１では、上面（図１を正面視して上側の面）に、操作部としての電源スイッチ１４、シャッターボタン１５、モード切替ダイアル１６が設けられている。電源スイッチ１４は、デジタルカメラ１０を起動するための操作（起動操作）と、デジタルカメラ１０を停止するための操作（停止操作）と、をするものである。シャッターボタン１５は、被写体を撮影する際に押し下げる押下操作部材である。モード切替ダイアル１６は、各種のシーンモード、静止画モード、動画モード等を設定するものである。また、明確な図示は略すが、カメラ本体１１の背面には、その他の操作スイッチ１７や後述する表示部２４（その表示面）が設けられている（図２参照）。その表示部２４は、撮像された画像データや記録媒体に記録された画像データに基づき画像を表示する。また、操作スイッチ１７は、各メニュー等の設定のための方向指示用スイッチや各種スイッチである。
【００１３】
デジタルカメラ１０では、シャッターボタン１５の押下操作により、撮影光学系１２を通して後述する撮像素子２２（図３等参照）の受光面に受光した被写体像の画像データが記録処理される。その撮影光学系１２は、第１レンズ群１２ａ（図３等参照）を含む複数のレンズ群と、シャッタおよび開口絞りを含むシャッタ／絞りユニットと、撮像素子２２（図３等参照）と、を具備している。撮影光学系１２は、これら第１レンズ群１２ａを含む複数のレンズ群とシャッタ／絞りユニットとにより、焦点距離可変のズームレンズとして構成されている。この撮影光学系１２の結像位置に、後述する撮像素子２２が配置される（図３等参照）。この明細書では、撮影光学系１２における光学的な軸線（第１レンズ群１２ａを含む各光学部材の中心軸位置となる回転対称軸）を、撮影光学系１２すなわちレンズ鏡胴１３の撮影光軸ＯＡとする。
【００１４】
図１（ａ）および図３に示すデジタルカメラ１０は、電源オフ時（電源スイッチ１４がＯＦＦ状態）であって、撮影光学系１２（後述する可動レンズ鏡筒４０）が後述する固定筒３７（外装部３２）内の収納位置とされている。また、図１（ｂ）に示すデジタルカメラ１０は、電源オン時（電源スイッチ１４がＯＮ状態）であって、撮影光学系１２（後述する可動筒）が後述する固定筒３７（外装部３２）から撮影光軸ＯＡ方向に繰り出された撮影待機位置とされている。
【００１５】
このデジタルカメラ１０は、図２に示すように、制御部２１と、撮像素子２２と、レンズ鏡胴駆動ユニット２３と、上述した表示部２４と、を有する。制御部２１は、操作部としての電源スイッチ１４、シャッターボタン１５、モード切替ダイアル１６および操作スイッチ１７に為された操作に基づく駆動処理や、撮像素子２２からの信号に基づく画像データの生成処理や、レンズ鏡胴駆動ユニット２３および表示部２４の駆動等の制御を、記憶部２１ａに格納されたプログラムにより統括的に行う。制御部２１は、撮影光学系１２を経て撮像素子２２で画像を取得し、その画像をカメラ本体１１の後面側に設けられた表示部２４に適宜表示させる。
【００１６】
撮像素子２２は、ＣＣＤイメージセンサやＣＭＯＳイメージセンサ等の固体撮像素子で構成されており、撮影光学系１２を通して受光面（図３参照）上に結像された被写体像を電気信号（画像データ）に変換して出力する。その出力された電気信号（画像データ）は、制御部２１へと伝送される。
【００１７】
レンズ鏡胴駆動ユニット２３は、レンズ鏡胴１３を収納位置（図１（ａ）参照）と撮影待機位置（図１（ｂ）参照）とで移行すべく、後述するように固定筒３７に対して可動レンズ鏡筒４０（直進筒４１）を移動させることにより、撮影光学系１２の各光学部材を各々支持する光学部材保持枠（図示せず）を移動させる。
【００１８】
そのレンズ鏡胴１３は、撮影光学系１２の第１レンズ群１２ａを含む各光学部材を撮影光軸ＯＡ方向に移動可能に保持する（図３参照）。レンズ鏡胴１３は、図３に示すように、本体部３１と外装部３２とを備える。本体部３１は、明確な図示は略すが、全体に箱状を呈する筐体３３（図１等参照）に囲まれて形成されており、レンズ鏡胴１３における基端部を構成している。この筐体３３は、実施例１では、上述したように、図示は略すがカメラ本体１１（図１等参照）への着脱が可能とされている。この本体部３１すなわち筐体３３の内方には、ベース部材３４と基板３５とが収容されている。その基板３５は、ベース部材３４に固定されており、適宜電子部品および撮像素子２２が実装されて電子回路部を構成している。そのベース部材３４は、図示は略すが本体部３１（筐体３３）に取り付けられている。また、本体部３１（筐体３３）では、図示は略すが、後述する直進筒４１へと駆動力を付与するレンズ鏡胴駆動ユニット２３（図２参照）としての駆動装置が基板３５に設けられている。この本体部３１に外装部３２が設けられている。
【００１９】
その外装部３２は、リングキャップ３６と固定筒３７とを有する。固定筒３７は、全体に筒形状を呈し、筐体３３の前端（被写体側）に設けられている。この固定筒３７の前端（被写体側）には、図４に示すように、鏡胴側連結部３８が設けられている。この鏡胴側連結部３８は、レンズキャップ５０の後述するキャップ側連結部５１ａもしくはリングキャップ３６の後述するリング側連結部３６ｂとの連結およびその解除により、レンズキャップ５０もしくはリングキャップ３６の固定筒３７（レンズ鏡胴１３）への装着および固定筒３７（レンズ鏡胴１３）からの分離を可能とする。鏡胴側連結部３８は、環状凹所３８ａと３つの連結箇所３８ｂとを有する。その環状凹所３８ａは、固定筒３７の外周が全周に渡り、径方向（撮影光軸ＯＡを中心とする放射方向）へと縮められているとともに、撮影光軸ＯＡ方向で本体部３１（筐体３３）側へと凹まされて形成されている。
【００２０】
また、３つの連結箇所３８ｂは、環状凹所３８ａにおいて、撮影光軸ＯＡを中心とする回転方向で見て互いに等しい間隔で設けられている（図４では、２つのみ示す）。この各連結箇所３８ｂは、固定筒３７における環状凹所３８ａにより径方向に縮められた箇所の外周が部分的に径方向に沿って外側に突出されつつ撮影光軸ＯＡを中心とする回転方向に沿って湾曲されて形成された爪部分３８ｃを有する。各爪部分３８ｃでは、被写体側から見た時計回り方向を上記回転方向の正側として、負側の端部が回転方向の正側からの進入が可能に開放された開放部分３８ｄとされている。この各連結箇所３８ｂは、レンズ鏡胴１３（デジタルカメラ１０）と、レンズキャップ５０もしくはリングキャップ３６と、の撮影光軸ＯＡ方向への相対的な接近により、後述するキャップ側連結部５１ａの爪部分５１ｂ（図７参照）もしくは後述するリング側連結部３６ｂの爪部分３６ｃを開放部分３８ｄで受け入れるとともに、レンズ鏡胴１３（デジタルカメラ１０）とレンズキャップ５０もしくはリングキャップ３６との相対的な回転により、その爪部分５１ｂもしくは爪部分３６ｃを爪部分３８ｃへと引っ掛ける所謂バヨネット式の装着機構の一方を構成している。この鏡胴側連結部３８を介して固定筒３７（その前端）にリングキャップ３６が装着される。
【００２１】
そのリングキャップ３６は、鏡胴側連結部３８（その凹凸形状）を隠すために固定筒３７に装着される。リングキャップ３６は、リング本体部３６ａの内方に３つのリング側連結部３６ｂ（図４では、１つのみ示す）が設けられて構成されている。そのリング本体部３６ａは、レンズ鏡胴１３の固定筒３７に設けられた鏡胴側連結部３８の環状凹所３８ａを取り囲むことが可能な大きさ寸法の筒状を呈する。また、リング本体部３６ａは、固定筒３７に等しい外径寸法とされており、撮影光軸ＯＡ方向で見て、固定筒３７に連続する周壁を形成している（図１および図３参照）。
【００２２】
３つのリング側連結部３６ｂは、リング本体部３６ａの軸線を中心とする回転方向で見て互いに等しい間隔で設けられており、固定筒３７に設けられた鏡胴側連結部３８の３つの連結箇所３８ｂに対応する位置関係とされている。各リング側連結部３６ｂは、リング本体部３６ａの他方の開放端（レンズ鏡胴１３への装着状態において本体部３１（筐体３３）側）から、径方向（軸線を中心とする放射方向）に沿って内側に突出され、軸線を中心とする回転方向に沿って湾曲されて形成された爪部分３６ｃを有する。この３つの爪部分３６ｃは、レンズ鏡胴１３（デジタルカメラ１０）とリングキャップ３６との撮影光軸ＯＡ方向への相対的な接近により、固定筒３７の鏡胴側連結部３８の３つの連結箇所３８ｂの開放部分３８ｄから挿入可能であり、レンズ鏡胴１３（デジタルカメラ１０）とリングキャップ３６との相対的な回転により、その連結箇所３８ｂの爪部分３８ｃへと引っ掛かる所謂バヨネット式の装着機構の他方を構成している。
【００２３】
そのリングキャップ３６が装着される固定筒３７は、図３に示すように、筐体３３（そのベース部材３４）に固定されている。この固定筒３７の内周面には、案内突起３７ａが設けられている。その案内突起３７ａは、後述する直進筒４１の直進溝４１ｂへの挿入が可能とされるとともに、その挿入状態においてその直進溝４１ｂとの干渉が可能とされている。この固定筒３７の内周に直進筒４１が嵌め入れられている。
【００２４】
その直進筒４１は、全体に円筒形状を呈する。この直進筒４１の周壁には、進退カム溝４１ａと直進溝４１ｂとが設けられている。進退カム溝４１ａは、後述する回転筒４２の回転する力を直進筒４１における撮影光軸ＯＡ方向への移動力に変換すべく、撮影光軸ＯＡ方向に対して傾斜されて設けられている。直進溝４１ｂは、撮影光軸ＯＡ方向に沿って設けられており、固定筒３７の案内突起３７ａが干渉可能に嵌め入れられている。このため、直進筒４１は、固定筒３７に対して、撮影光軸ＯＡ（撮影光路）方向への移動（直進移動）が可能とされているとともに、撮影光軸ＯＡ回りの回転が防止されている。この直進筒４１の内周に回転筒４２が嵌め入れられている。
【００２５】
その回転筒４２は、全体に円筒形状を呈する。この回転筒４２の外周面には、キー部４２ａが設けられている。キー部４２ａは、撮影光軸ＯＡに直交する面に沿って、径方向の外側へ向けて基端部から突出して形成され、図示を略す固定筒３７の案内溝に挿入されている。このような構成により、回転筒４２と固定筒３７とは、撮影光軸ＯＡ（撮影光路）方向への相対的な移動が防止されつつ、撮影光軸ＯＡ回りに相対的な回転移動が可能とされている。このため、回転筒４２は、ベース部材３４に対して、撮影光軸ＯＡ（撮影光路）方向の位置を固定したまま、撮影光軸ＯＡ回りの回転が可能とされている。
【００２６】
この回転筒４２には、図示は略すがギア部が設けられており、そのギア部に基板３５すなわち固定筒３７に固定的に設けられたレンズ鏡胴駆動ユニット２３（図２参照）としての駆動装置（図示せず）の出力軸に設けられたギアが螺合されている。このような構成により、回転筒４２は、図示は略すがギア部に螺合されたギアを介して駆動装置の駆動力が適宜ギア伝達されると、直進筒４１内において固定筒３７に対して回転駆動される。
【００２７】
この回転筒４２には、カム突起４２ｂが設けられている。このカム突起４２ｂは、明確な図示は略すが径方向の外側へ向けて回転筒４２から突出して設けられており、直進筒４１の進退カム溝４１ａに干渉可能に挿入されている。このため、回転筒４２は、固定筒３７に対して、撮影光軸ＯＡ（撮影光路）を中心軸線として回転駆動されると、その回転姿勢に応じて、カム突起４２ｂが干渉する直進筒４１の進退カム溝４１ａのカム軌跡に倣うように、ベース部材３４（固定筒３７）に対して直進筒４１を撮影光軸ＯＡ（撮影光路）方向へと直進移動させる。
【００２８】
その直進筒４１の先端部（被写体側）には、第１レンズ保持枠４４と押え環状部材４５とが設けられている。この第１レンズ保持枠４４は、撮影光学系１２の第１レンズ群１２ａを一体的に保持しており、周縁の先端箇所で直進筒４１の先端部に接続されている。その第１レンズ群１２ａは、１枚以上のレンズからなり、撮影光学系１２における最も被写体側に配置される対物レンズを有する。押え環状部材４５は、径方向で見て、直進筒４１の先端部よりも小さな大きさ寸法とされるとともに、第１レンズ群１２ａ（その対物レンズ）の前面の周縁部（有効エリアの外側位置）よりも大きな円環状を呈する。この押え環状部材４５は、直進筒４１および第１レンズ保持枠４４の被写体側で第１レンズ群１２ａ（その対物レンズ）の前面の周縁部を取り巻くように設けられており、図示を略す固定ねじにより直進筒４１（その先端部）に固定されている。このため、レンズ鏡胴１３の先端部では、押え環状部材４５を取り囲むように、直進筒４１の先端部側の先端面４１ｃが露出されている。
【００２９】
その直進筒４１に嵌め入れられた回転筒４２の内方には、図示は略すが、撮影光学系１２（図１等参照）の第１レンズ群１２ａの他の各光学部材（図示せず）を各々保持する光学部材保持枠や、その光学部材保持枠を撮影光軸方向に移動させるための他の回転筒や他のライナー等が適宜設けられる。また、直進筒４１および回転筒４２の内周面には、図示は略すが、撮影光学系１２の第１レンズ群１２ａの他の各光学部材（図示せず）を撮影光軸方向に適宜移動させるべく、内方に設けられる各光学部材収容枠（光学部材保持枠や回転筒やライナー等）のキー突起部やヘリコイド等に係合される直進溝やヘリコイド等が設けられている。このため、固定筒３７（外装部３２）と直進筒４１と回転筒４２とは、図示を略す光学部材保持枠や他の回転筒や他のライナー等とともに、撮影光学系１２（図１等参照）の各光学部材（図示せず）を収容する光学部材収容枠として機能する。また、レンズ鏡胴駆動ユニット２３は、図示を略す駆動装置で回転筒４２を適宜回転させることにより、光学部材収容枠を適宜駆動する収容枠駆動手段として機能する。
【００３０】
このレンズ鏡胴１３では、回転筒４２が、そのギア部に螺合されたギア（図示せず）を介して、レンズ鏡胴駆動ユニット２３（図２参照）（その駆動装置）の駆動力が適宜ギア伝達されて、直進筒４１内で固定筒３７に対して回転される。これにより、レンズ鏡胴１３では、直進筒４１が所定の収納位置（図１（ａ）参照）から所定の撮影待機位置（図１（ｂ）参照）へ向けて繰り出されるとともに、そこから所定の収納位置に繰り入れられ、撮影光学系１２（図１等参照）の各光学部材（図示せず）を所定のごとく移動させる。本実施例では、レンズ鏡胴１３は、電源スイッチ１４がＯＦＦ状態からＯＮ状態とされると、撮影光学系１２（後述する可動筒）を固定筒３７（収納部）から繰り出す要求があったものとして、撮影光学系１２（可動筒）を固定筒３７（収納部）から撮影光軸ＯＡ方向に繰り出して撮影待機位置（図１（ｂ）参照）とする。本実施例では、この図１（ｂ）に示す撮影待機位置は、その撮影待機位置において固定筒３７（外装部３２）に対して最も繰出量が小さな状態とされており、後述する可動レンズ鏡筒４０における広角位置とされている。このため、直進筒４１（後述する可動レンズ鏡筒４０）は、図１（ｂ）に示す撮影待機位置からさらに被写体側へ向けて繰り出されることが可能とされている（図１５（ｄ）参照）。
【００３１】
このことから、固定筒３７（外装部３２）の内方に収容された直進筒４１は、図示を略す光学部材保持枠や他の回転筒や他のライナー等とともに、レンズ鏡胴１３において固定筒３７（外装部３２）に対して進退自在とされ、撮影光学系１２の光学素子（第１レンズ群１２ａや、図示を略す他の各光学部材）を適宜撮影光軸ＯＡ方向に移動させる可動レンズ鏡筒４０として機能する。さらに、レンズ鏡胴駆動ユニット２３は、図示を略す駆動装置で回転筒４２を適宜回転させることにより、光学部材収容枠を適宜駆動する収容枠駆動手段として機能する。
【００３２】
その可動レンズ鏡筒４０の先端部は、上述したように、撮影光学系１２の第１レンズ群１２ａ（その対物レンズ）と、その外周を取り巻く押え環状部材４５と、その外周を取り巻く直進筒４１の先端部側の先端面４１ｃと、により構成されている（図３参照）。その可動レンズ鏡筒４０の先端部には、取付環状部材７６を装着することが可能とされている（図１３参照）。
【００３３】
この取付環状部材７６は、図１３に示すように、光学部材等の装着部材（図１３の光学フィルタ７７や図１６および図１７のレンズフード７８参照）の着脱を可能とするものである。取付環状部材７６は、全体に環状を呈し、可動レンズ鏡筒４０の撮影光学系１２（図１参照）への撮影光の入射の妨げとなることが防止されている。この取付環状部材７６は、後端（装着状態における像面側の端部）に内鍔部７６ａが設けられている。取付環状部材７６は、内鍔部７６ａが直進筒４１の先端面４１ｃと押え環状部材４５との間に挿入されることにより、その先端面４１ｃに取り付けられる。この取付環状部材７６の内周面には、取付ねじ溝７６ｂが設けられている。この取付ねじ溝７６ｂは、レンズキャップ５０やリングキャップ３６とは異なる上述した装着部材（図１３の光学フィルタ７７や図１６および図１７のレンズフード７８参照）の取り付けを可能とする。
【００３４】
次に、本発明に係る一例としてのレンズキャップ５０について、図４から図１７を用いて説明する。なお、図１０では、閉状態における第１バリア５２１の側方区画壁部６７１Ａの段状部分７３１Ａと、第３バリア５２３の側方区画壁部６７３Ａの段状部分７３３Ａと、の位置関係を理解容易とするために、第２バリア５２２を省略して示している。また、図１１では、各バリア５２の各段状部分７３の位置関係を理解容易とするために、模式的に示している。さらに、図１２では、各バリア５２の裏面からのカム突起６８の突出量の差異を理解容易とすべく模式的に示しており、その突出量は実際のものと必ずしも一致するものではない。
【００３５】
このレンズキャップ５０は、図５に示すように、レンズ鏡胴１３、特に可動レンズ鏡筒４０の先端位置で保持された撮影光学系１２の光学素子の第１レンズ群１２ａ（その対物レンズ）の保護のために、レンズ鏡胴１３に対して適宜装着されるものである。レンズキャップ５０は、基本的にレンズ鏡胴１３の固定筒３７（外装部３２）に装着され、その固定筒３７に対して撮影光軸ＯＡ方向に移動される可動レンズ鏡筒４０を利用して、保護状態の解除と保護状態への復帰との動作を可能とする。このレンズキャップ５０は、図５から図７に示すように、環状の装着部５１と、その一方の開放端（レンズ鏡胴１３への装着状態において被写体側）を塞ぐ４つのバリア５２と、を有する。レンズキャップ５０は、環状の装着部５１が外装部３２を取り巻くようにレンズ鏡胴１３に装着されることから、その装着状態においては装着部５１の軸線が撮影光軸ＯＡと一致される。このため、以下の説明では、基本的に装着状態における撮影光軸ＯＡ方向と、その撮影光軸ＯＡを中心とする放射方向である径方向と、を用いることとする。また、以下の説明では、装着部５１において、撮影光軸ＯＡ方向の被写体側を先端側とし、その反対側を背面側とする。
【００３６】
その装着部５１は、レンズ鏡胴１３の外装部３２への装着箇所となるものであり、本実施例では、外装部３２の固定筒３７に設けられた鏡胴側連結部３８（図４参照）への装着が可能とされている。装着部５１は、レンズ鏡胴１３の固定筒３７に設けられた鏡胴側連結部３８の環状凹所３８ａを取り巻くことが可能な大きさ寸法の環状を呈する。その装着部５１には、図７に示すように、内方に３つのキャップ側連結部５１ａ（図７では１つのみ示す）が設けられている。
【００３７】
３つのキャップ側連結部５１ａは、装着部５１の軸線すなわち撮影光軸ＯＡを中心とする回転方向で見て互いに等しい間隔で設けられており、固定筒３７に設けられた鏡胴側連結部３８の３つの連結箇所３８ｂ（図４参照）に対応する位置関係とされている。各キャップ側連結部５１ａは、装着部５１の他方の開放端（レンズ鏡胴１３への装着状態において本体部３１（筐体３３）側）から、径方向に沿って内側に突出され、撮影光軸ＯＡを中心とする回転方向に沿って湾曲されて形成された爪部分５１ｂを有する。この３つの爪部分５１ｂは、レンズ鏡胴１３（デジタルカメラ１０）と装着部５１（レンズキャップ５０）との撮影光軸ＯＡ方向への相対的な接近により、固定筒３７の鏡胴側連結部３８の３つの連結箇所３８ｂの開放部分３８ｄ（図４参照）から挿入可能であり、レンズ鏡胴１３（デジタルカメラ１０）と装着部５１との相対的な回転により、その連結箇所３８ｂの爪部分３８ｃへと引っ掛かる所謂バヨネット式の装着機構の他方を構成している。
【００３８】
この装着部５１では、４つの支持箇所５３が形成されている。この４つの支持箇所５３は、それぞれが装着部５１におけるバリア５２を支持する箇所を構成するものであり、撮影光軸ＯＡを中心とする回転方向で見て互いに等しい間隔で設けられている。この各支持箇所５３は、受入凹所５４と一対の軸受突起５５とを有する。その受入凹所５４は、装着部５１の上端部（先端側）が部分的に切り欠かれて形成されている。受入凹所５４は、径方向に沿って得られる断面で見ると、図８に示すように、内側が撮影光軸ＯＡに略直交する平面とされ、そこから上方（先端側）へ向けて湾曲されており、外側に外縁部分５４ａが設けられている。この外縁部分５４ａは、後述するように支持箇所５３に取り付けられた（受入凹所５４に受け入れられた）バリア５２（その取付箇所６６）の開き方向への回転範囲（後述する最大開状態（図１６および図１７参照））を確保すべく、径方向の外側に向かうに連れて撮影光軸ＯＡ方向の被写体側へと変位する傾斜を為している。この受入凹所５４では、撮影光軸ＯＡに略直交する平面とされた内側に、固定孔５４ｂが設けられている。この固定孔５４ｂは、後述するトーションバネ７４の一端７４ａを受け入れることが可能な大きさ寸法とされている（図１７（ｂ）参照）。
【００３９】
一対の軸受突起５５は、図７に示すように、撮影光軸ＯＡを中心とする回転方向で見た受入凹所５４の両端位置に設けられており、その受入凹所５４に対して上方（先端側）に突出されている。この一対の軸受突起５５には、撮影光軸ＯＡを中心とする円に対する接線方向に伸びる同一の直線上に軸穴５５ａが設けられている。この軸穴５５ａは、本実施例では、軸受突起５５を貫通して形成されている。このため、各支持箇所５３では、一方の軸受突起５５の軸穴５５ａから軸部材５６を挿入することにより、受入凹所５４を跨ぎつつ両軸受突起５５を掛け渡して当該軸部材５６を配することができる（図１０の第２バリア５２２を省略して示す受入凹所５４参照）。
【００４０】
また、装着部５１には、上端部（レンズ鏡胴１３への装着状態において先端側（被写体側））に環状の内縁切欠５７が形成されている。この内縁切欠５７は、装着部５１の上端部の内側を、撮影光軸ＯＡを中心とする円周方向に沿ってＬ字状に切り欠いて形成されている。本実施例では、上述したように装着部５１の上端部に４つの支持箇所５３が設けられていることから、内縁切欠５７は、各支持箇所５３の間を掛け渡すように設けられている。この装着部５１の４つの支持箇所５３のそれぞれにバリア５２が取り付けられる。
【００４１】
この４つのバリア５２は、図６および図７に示すように、装着部５１の一方の開放端（レンズ鏡胴１３への装着状態において被写体側）を４つに分割した形状とされており、それぞれが各支持箇所５３に取り付けられた状態で径方向に沿って並列されることにより、装着部５１の一方の開放端を塞ぐ構成とされている（図５（ａ）および図６参照）。以下では、この装着部５１の一方の開放端を塞いでいる際の各バリア５２の状態を閉状態という。また、以下の説明では、４つのバリア５２を個別に述べる場合には、第１バリア５２１、第２バリア５２２、第３バリア５２３および第４バリア５２４とする。
【００４２】
各バリア５２は、各支持箇所５３に取り付けられる支持端側（径方向の外側（取付箇所６６側））が装着部５１を４つに等分割した円弧状（装着部５１に沿う形状）を呈している。また、各バリア５２は、閉状態とされると径方向で見て撮影光軸ＯＡ側となる内方端側が、第１バリア５２１と第２バリア５２２とが撮影光軸ＯＡに直交する線状を呈し、第３バリア５２３と第４バリア５２４とが第１バリア５２１と第２バリア５２２との間の線状箇所の両端位置を頂点とする尖端状を呈している。各バリア５２は、後述する平面部６１（その区画壁部６７）の形状が異なることを除くと基本的な構成は等しいことから、先ずはその基本的な構成を第１バリア５２１を用いて説明する。なお、各バリア５２の各部の符号に関しては、基本的には２桁の数字（後述する平面部６１等）で示し、４つのバリア５２を個別に述べる場合には第ｎバリア５２ｎと同様に末尾にｎの数字を付して示す（第１バリア５２１の平面部６１の場合、平面部６１１等）こととする。
【００４３】
その第１バリア５２１は、図９に示すように、平面部６１（６１１）と、リブ突起部６２（６２１）と、第１補助突起６３（６３１）と、第２補助突起６４（６４１）と、外側壁部６５（６５１）と、取付箇所６６（６６１）と、区画壁部６７（６７１Ａおよび６７１Ｂ）と、カム突起６８（６８１）と、を有する。その平面部６１は、閉状態で装着部５１の一方の開放端において撮影光軸ＯＡに直交する面に沿って存在される箇所であり、平坦な板状を呈する。平面部６１は、外側壁部６５側の外端縁部分６１ａが装着部５１（円環形状）を４つに等分割した円弧状を呈する。また、平面部６１は、第３バリア５２３または第４バリア５２４と隣接する側方縁部分６１ｂが、円弧状の外端縁部分６１ａに対して等しい角度を為しつつ互いに接近する直線状を呈する。さらに、平面部６１は、第２バリア５２２と隣接する内端縁部分６１ｃが両側方縁部分６１ｂに対して等しい角度を為しつつ連続する直線状を呈している。この平面部６１の形状（構成）は、第３バリア５２３および第４バリア５２４では、第１バリア５２１と異なるものとされているが、これについては後に説明する。その平面部６１にリブ突起部６２が設けられている。
【００４４】
そのリブ突起部６２は、平面部６１の裏側（閉状態で可動レンズ鏡筒４０と対向される面）から、外端縁部分６１ａの中心と内端縁部分６１ｃの中心とを掛け渡しつつ撮影光軸ＯＡ方向へと突出されて形成されている。すなわち、リブ突起部６２は、外端縁部分６１ａの中心と内端縁部分６１ｃの中心との間で径方向に伸びて形成されている。リブ突起部６２は、実施例１では、平面部６１（その裏側）からの突出量が一定とされている（図１４等参照）。このリブ突起部６２には、径方向で見た中間位置に当該リブ突起部６２を貫通する貫通孔６２ａが設けられている。この貫通孔６２ａは、後述するトーションバネ７４の他端７４ｂの先端箇所７４ｃを通すことが可能な大きさ寸法とされている。リブ突起部６２は、第１バリア５２１（各バリア５２）において、平面部６１と協働して、閉状態で可動レンズ鏡筒４０と対向される面となる裏面を構成している。このため、第１バリア５２１の裏面では、平面部６１におけるリブ突起部６２が設けられた箇所に対して他の箇所が凹む構成とされている。
【００４５】
第１補助突起６３は、径方向に伸びつつ平面部６１（その裏側）から撮影光軸ＯＡ方向へと突出されて形成されている。その第１補助突起６３は、リブ突起部６２における外端縁部分６１ａ側の端部と貫通孔６２ａが設けられた箇所との間の位置で、そのリブ突起部６２と並列して設けられている。第１補助突起６３は、リブ突起部６２との間に、後述するトーションバネ７４の他端７４ｂを受け入れることが可能な間隔を置いて設けられている。
【００４６】
第２補助突起６４は、径方向に直交しつつ平面部６１（その裏側）から突出された板状を呈し、径方向で対を為して形成されている。その第２補助突起６４は、径方向で見て貫通孔６２ａを間に介在させる位置関係とされており、後述するトーションバネ７４の他端７４ｂの先端箇所７４ｃを受け入れることが可能な間隔を置いて設けられている。
【００４７】
外側壁部６５は、平面部６１の外端縁部分６１ａに連続されており、その外端縁部分６１ａに沿って湾曲された板状を呈し、平面部６１（その裏側）から撮影光軸ＯＡ方向の背面側へと突出されて形成されている。この外側壁部６５は、第１バリア５２１（各バリア５２）の閉状態において、装着部５１とともにレンズキャップ５０の周壁部を構成する（図５および図１０等参照）。外側壁部６５では、後端側にフランジ部分６５ａが設けられている。このフランジ部分６５ａは、外側壁部６５の後端の外周面から径方向の外側に突出されて形成されており、外側壁部６５の後端の全域に渡って設けられている。フランジ部分６５ａは、後述するように装着部５１に取り付けられた第１バリア５２１（各バリア５２）が閉状態とされると、装着部５１の内縁切欠５７に嵌りこむことが可能な大きさ寸法および形状とされている（図１０参照）。その外側壁部６５に取付箇所６６が設けられている。
【００４８】
その取付箇所６６は、装着部５１の支持箇所５３へと取り付ける箇所を構成するものであり、外側壁部６５の後端において撮影光軸ＯＡを中心とする回転方向で見た中央に設けられている。取付箇所６６は、受入凹所７１と一対の軸受突起７２とを有する。その受入凹所７１は、外側壁部６５のフランジ部分６５ａから径方向の外側に突出され、撮影光軸ＯＡを中心とする円に対する接線方向に伸びる円柱形状部の中央箇所が部分的に円柱形状に切り欠かれて形成されている。このため、受入凹所７１では、径方向の外側に外縁部分７１ａが設けられている（図１４等参照）。この受入凹所７１は、軸部材５６をおよび後述するトーションバネ７４を受け入れる箇所を構成する。また、上記した円柱形状部の中央箇所が受入凹所７１として切り欠かれることにより、その受入凹所７１の両端に一対の軸受突起７２が形成されている。この受入凹所７１および一対の軸受突起７２（それらを構成する円柱形状部）は、装着部５１の支持箇所５３の受入凹所５４内に収容可能な大きさ寸法とされている（図７および図１４等参照）。また、外縁部分７１ａは、後述するように装着部５１に取り付けられた第１バリア５２１（各バリア５２）が閉状態とされると、装着部５１の支持箇所５３の受入凹所５４の外縁部分５４ａと協働して、その支持箇所５３（受入凹所５４）の内方の露出を大幅に抑制する大きさ寸法とされている（図６および図１３等参照）。本実施例では、外縁部分７１ａは、支持箇所５３に設けられた軸部材５６の径方向の外側まで伸びる大きさ寸法とされている（図１３等参照）。その外縁部分７１ａには、切欠溝７１ｂが設けられている。この切欠溝７１ｂは、受入凹所７１に配した後述するトーションバネ７４の一端７４ａを受け入れることが可能とされている（図１７（ｂ）参照）。切欠溝７１ｂは、第１バリア５２１（各バリア５２）を後述する最大開状態（図１６および図１７参照）とすべく、装着部５１の支持箇所５３（その受入凹所５４）において取付箇所６６（その受入凹所７１（外縁部分７１ａ））が相対的に回転する際に、トーションバネ７４の一端７４ａと外縁部分７１ａとが干渉することを防止する。
【００４９】
一対の軸受突起７２は、上述したように、撮影光軸ＯＡを中心とする円に対する接線方向で見た受入凹所７１の両端位置に設けられている。この一対の軸受突起７２には、上記した接線方向に伸びる同一の直線上に軸穴７２ａが設けられている。この各軸穴７２ａは、軸受突起７２を貫通して形成されている。このため、取付箇所６６では、装着部５１の支持箇所５３の受入凹所５４内に配された状態において、その一方の軸受突起５５の軸穴５５ａから挿入された軸部材５６を、両軸受突起７２の軸穴７２ａに通すとともに、その軸部材５６を他方の軸受突起５５の軸穴５５ａに挿入させることができる（図７の矢印Ａ３参照）。
【００５０】
区画壁部６７は、平面部６１の外端縁部分６１ａを除く外縁部分に連続されており、その連続される外縁部分に沿う平坦な板状を呈し、平面部６１の裏側から撮影光軸ＯＡ方向の背面側へと突出されて形成されている。すなわち、区画壁部６７は、平面部６１の外縁部において外側壁部６５が設けられていない箇所に設けられている。この区画壁部６７は、互いに隣り合う第１バリア５２１（各バリア５２）との境界位置を規定するものであり、実施例１では、平面部６１（その裏側）からの突出量が一定とされている。このため、第１バリア５２１では、区画壁部６７として、両側方縁部分６１ｂに連続する一対の箇所（以下、個別に述べる場合には側方区画壁部６７Ａ（６７１Ａ）という）と、内端縁部分６１ｃに連続する箇所（以下、個別に述べる場合には内端区画壁部６７Ｂ（６７１Ｂ）という）と、を有する。この区画壁部６７（６７１Ａ、６７１Ｂ）には、隣り合う区画壁部６７へと突出する段状部分７３が設けられている。
【００５１】
この各段状部分７３は、区画壁部６７から径方向に突出され、かつ対応する区画壁部６７の全長に渡り伸びて形成されている。第１バリア５２１では、両側方区画壁部６７Ａ（６７１Ａ）にその先端側から突出して段状部分７３（以下、個別に述べる場合には段状部分７３Ａ（７３１Ａ）という）が設けられ、内端区画壁部６７Ｂ（６７１Ｂ）にその先端側から突出して段状部分７３（以下、個別に述べる場合には段状部分７３Ｂ（７３１Ｂ）という）が設けられている。この区画壁部６７およびそこに設けられる段状部分７３の構成は、第２バリア５２２と第３バリア５２３と第４バリア５２４とでは、第１バリア５２１と異なるものとされているが、これについては後に説明する。
【００５２】
カム突起６８は、第１バリア５２１の裏面から撮影光軸ＯＡ方向の背面側へと突出されて形成されており、撮影光軸ＯＡを中心とする円に対する接線方向に伸びる平坦な板状を呈する。このカム突起６８は、第１バリア５２１の裏面すなわち平面部６１およびリブ突起部６２よりも撮影光軸ＯＡ方向へと突出されている。カム突起６８は、装着部５１に取り付けられた第１バリア５２１（各バリア５２）が閉状態とされると、径方向で見て、可動レンズ鏡筒４０の先端部の外周位置よりも内側であって、撮影光学系１２の有効径（第１レンズ群１２ａ（その対物レンズ））よりも外側に存在するものとされている。本実施例では、カム突起６８は、径方向で見て、可動レンズ鏡筒４０の先端部における直進筒４１の先端面４１ｃと撮影光軸ＯＡ方向で対向する位置関係とされている（図１４（ａ）参照）。このカム突起６８は、外側壁部６５の近傍すなわち装着部５１の支持箇所５３（その受入凹所５４）に回転可能に支持される取付箇所６６の近傍に設けられ、第１バリア５２１の裏面から突出された箇所（カム突起６８における突出基部）にリブ突起部６２が連続されている。また、カム突起６８は、後述する第１バリア５２１（各バリア５２）の必要開状態への開き動作（図１４参照）を可能とする観点から、第１バリア５２１の裏面からの突出量が設定されている。このカム突起６８の裏面からの突出量の設定は、第２バリア５２２と第３バリア５２３と第４バリア５２４とでは、第１バリア５２１と異なるものとされている（図１２参照）。これらについては、後に説明する。本実施例では、カム突起６８には、上記接線方向で見た中間位置に分割溝６８ａが設けられている。この分割溝６８ａは、受入凹所７１に配した後述するトーションバネ７４の他端７４ｂを受け入れることが可能とされている。
【００５３】
次に、上述した第１バリア５２１と、第２バリア５２２、第３バリア５２３および第４バリア５２４との構成の差異について、以下で説明する。第２バリア５２２は、図６および図７に示すように、外径形状すなわち平面部６１２の形状および区画壁部６７２（６７２Ａ、６７２Ｂ）の構成は、第１バリア５２１と等しいものとされている。この第２バリア５２２では、各区画壁部６７２に設けられた段状部分７３２（７３２Ａ、７３２Ｂ）の構成の一部が第１バリア５２１の段状部分７３１とは異なるものとされている。この第２バリア５２２では、内端区画壁部６７２Ｂにおける段状部分７３２Ｂが後端側から突出している（図１１（ｄ）参照）。なお、両側方区画壁部６７２Ａにおける段状部分７３２Ａは、第１バリア５２１と同様に、その先端側から突出している（図１１（ｂ）、（ｃ）参照）。
【００５４】
第３バリア５２３および第４バリア５２４は、上述したように、閉状態で撮影光軸ＯＡ側となる内方端側が尖端状を呈していることから、外径形状すなわち平面部６１３および平面部６１４が、円弧状の後端縁部分（第１バリア５２１の外端縁部分６１ａに相当する箇所）の両端から伸びる直線状の両側方縁部分（第１バリア５２１の両側方縁部分６２ｂに相当する箇所）が交わる形状とされており、第１バリア５２１（第２バリア５２２）の平面部６１の内端縁部分６１ｃ（図９参照）に相当する箇所が設けられていない。このため、第３バリア５２３および第４バリア５２４では、区画壁部６７３または区画壁部６７４として両側方区画壁部６７３Ａまたは両側方区画壁部６７４Ａが設けられているのみとされている。その第３バリア５２３の両側方区画壁部６７３Ａにおける段状部分７３３Ａは、第１バリア５２１とは異なり、その後端側から突出している（図１０および図１１（ｂ）参照）。また、第４バリア５２４の両側方区画壁部６７４Ａにおける段状部分７３４Ａは、第１バリア５２１とは異なり、その後端側から突出している（図１１（ａ）、（ｃ）参照）。
【００５５】
このような構成であることから、４つのバリア５２では、閉状態とされると、第１バリア５２１の両側方区画壁部６７１Ａおよび第２バリア５２２の両側方区画壁部６７２Ａは、第３バリア５２３の両側方区画壁部６７３Ａおよび第４バリア５２４の両側方区画壁部６７４Ａと、径方向（撮影光軸ＯＡに直交する方向）で並列される（図６および図７等参照）。このとき、図１０に示すように、第１バリア５２１の側方区画壁部６７１Ａの段状部分７３１Ａと第３バリア５２３の側方区画壁部６７３Ａの段状部分７３３Ａとは、撮影光軸ＯＡ方向で並列される位置関係とされている。ここで、段状部分７３１Ａは、側方区画壁部６７１Ａの先端側に設けられており、かつ段状部分７３３Ａは、側方区画壁部６７３Ａの後端側に設けられていることから、段状部分７３１Ａが先端側（被写体側）に存在するとともに、段状部分７３３Ａが後端側（レンズ鏡胴１３側）に存在して、撮影光軸ＯＡ方向で互いに重なり合うように、他方のバリア５２へ向けて突出されている。
【００５６】
また、第１バリア５２１の側方区画壁部６７１Ａと第４バリア５２４の側方区画壁部６７４Ａとは、図１１（ａ）に示すように、径方向で並列され、その段状部分７３１Ａと段状部分７３４Ａとが段状部分７３１Ａを先端側にして撮影光軸ＯＡ方向で並列される。このため、段状部分７３１Ａと段状部分７３４Ａとは、撮影光軸ＯＡ方向で互いに重なり合うように、他方のバリア５２へ向けて突出されている。
【００５７】
さらに、第２バリア５２２の側方区画壁部６７２Ａと第３バリア５２３の側方区画壁部６７３Ａとは、図１１（ｂ）に示すように、径方向で並列され、その段状部分７３２Ａと段状部分７３３Ａとが段状部分７３２Ａを先端側にして撮影光軸ＯＡ方向で並列される。このため、段状部分７３２Ａと段状部分７３３Ａとは、撮影光軸ＯＡ方向で互いに重なり合うように、他方のバリア５２へ向けて突出されている。
【００５８】
しかも、第２バリア５２２の側方区画壁部６７２Ａと第４バリア５２４の側方区画壁部６７４Ａとは、図１１（ｃ）に示すように、径方向で並列され、その段状部分７３２Ａと段状部分７３４Ａとが段状部分７３２Ａを先端側にして撮影光軸ＯＡ方向で並列される。このため、段状部分７３２Ａと段状部分７３４Ａとは、撮影光軸ＯＡ方向で互いに重なり合うように、他方のバリア５２へ向けて突出されている。
【００５９】
同様に、４つのバリア５２では、閉状態とされると、第１バリア５２１の内端区画壁部６７１Ｂと第２バリア５２２の内端区画壁部６７２Ｂとは、図１１（ｄ）に示すように、径方向で並列され、その段状部分７３１Ｂと段状部分７３２Ｂとが段状部分７３１Ｂを先端側にして撮影光軸ＯＡ方向で並列される。このため、段状部分７３１Ｂと段状部分７３２Ｂとは、撮影光軸ＯＡ方向で互いに重なり合うように、他方のバリア５２へ向けて突出されている。
【００６０】
加えて、第１バリア５２１と、第２バリア５２２、第３バリア５２３および第４バリア５２４と、では、上述したように、裏面（本実施例ではリブ突起部６２）からのカム突起６８の突出量の設定が第１バリア５２１と異なるものとされている。各バリア５２における裏面からの突出量の設定は、図１２に示すように、第１バリア５２１のカム突起６８１の突出量Ｏｈ１に対して、第２バリア５２２のカム突起６８２の突出量Ｏｈ２が小さなものとされている。また、第２バリア５２２のカム突起６８２の突出量Ｏｈ２に対して、第３バリア５２３のカム突起６８３の突出量Ｏｈ３および第４バリア５２４のカム突起６８４の突出量Ｏｈ４が小さなものとされており、その突出量Ｏｈ３と突出量Ｏｈ４とは等しいものとされている。すなわち、各バリア５２では、隣接するすべての区画壁部６７に対して被写体側で重なる段状部分７３を有する第１バリア５２１に設けられたカム突起６８１の突出量Ｏｈ１が最も大きく設定されている。また、各バリア５２では、隣接する区画壁部６７に対して被写体側で重なる段状部分７３の個数が第１バリア５２１よりも１つ少ない第２バリア５２２に設けられたカム突起６８２の突出量Ｏｈ２が、突出量Ｏｈ１よりも小さく設定されている。さらに、各バリア５２では、隣接する区画壁部６７に対して被写体側で重なる段状部分７３の個数が第２バリア５２２よりも２つ少ない第３バリア５２３に設けられたカム突起６８３の突出量Ｏｈ３、および同じく第２バリア５２２よりも２つ少ない第４バリア５２４に設けられたカム突起６８４の突出量Ｏｈ４が、突出量Ｏｈ２よりも小さく設定されている。
【００６１】
次に、このレンズキャップ５０の組み付けについて説明する。装着部５１の４つの支持箇所５３に対して、４つのバリア５２を各々配置する（図７参照）。このとき、４つのバリア５２すなわち第１バリア５２１と第２バリア５２２と第３バリア５２３と第４バリア５２４とは、図６および図７に示す位置関係とする。そして、図７に示すように、この各バリア５２の取付箇所６６にトーションバネ７４を配置し（矢印Ａ１参照）、その一端７４ａを取付箇所６６の受入凹所７１の外縁部分７１ａの切欠溝７１ｂに挿入する（図１７（ｂ）参照）。そのトーションバネ７４を配した各取付箇所６６を、対応する支持箇所５３の一対の軸受突起５５の間で受入凹所５４に配する（矢印Ａ２参照）。このとき、受入凹所７１の外縁部分７１ａの切欠溝７１ｂに通したトーションバネ７４の一端７４ａを、支持箇所５３の受入凹所５４に設けられた固定孔５４ｂに差し込む（図１７（ｂ）参照）。
【００６２】
その後、各支持箇所５３における一方の軸受突起５５の軸穴５５ａから軸部材５６を挿入し、その受入凹所５４に配された各バリア５２の取付箇所６６の一方の軸受突起７２の軸穴７２ａ、トーションバネ７４の内方、および他方の軸受突起７２の軸穴７２ａを経て、各支持箇所５３における他方の軸受突起５５の軸穴５５ａに挿入する（矢印Ａ３参照）。これにより、各バリア５２は、装着部５１の４つの支持箇所５３に、軸部材５６を中心として回転可能に支持される。このため、軸部材５６は、各バリア５２の取付箇所６６の一対の軸受突起７２および装着部５１の各支持箇所５３一対の軸受突起５５と協働して、撮影光軸ＯＡ方向に直交し各バリア５２が装着部５１に対する回転中心となる開閉軸線を規定している。
【００６３】
以下では、この各バリア５２において、装着部５１の一方の開放端を塞ぐ閉状態（図５（ａ）等参照）へ向けた軸部材５６を中心とする回転方向を閉じ方向といい、閉状態から被写体側へと変位する軸部材５６を中心とする回転方向を開き方向という。また、各バリア５２における開き方向へと最も回転した状態を最大開状態（図１６および図１７参照）という。この最大開状態は、装着部５１の各支持箇所５３における受入凹所５４の外縁部分５４ａと、各バリア５２の取付箇所６６の近傍の外側壁部６５の外側面、もしくは取付箇所６６における受入凹所７１の外縁部分７１ａの外側面と、が干渉する位置を適宜調整することにより設定する（図１３参照）。最大開状態は、本実施例では、後述するように、可動レンズ鏡筒４０の先端部に取り付けられたレンズフード７８（そのフード本体部７８ａ）の受け入れを可能とする観点から設定している（図１６および図１７参照）。各バリア５２の取付箇所６６の受入凹所７１の外縁部分７１ａに設けられた切欠溝７１ｂは、この最大開状態の際にトーションバネ７４の一端７４ａを受け入れることが可能な大きさ寸法に設定している（図１７（ｂ）参照）。
【００６４】
その後、各トーションバネ７４の他端７４ｂを、カム突起６８の分割溝６８ａに通し、平面部６１に沿わせてリブ突起部６２と第１補助突起６３との間を通し、その他端７４ｂの先端であって折り曲げ加工された箇所（以下、先端箇所７４ｃという）をリブ突起部６２の貫通孔６２ａに挿入して第２補助突起６４の間で固定する（図９（ｂ）参照）。この各トーションバネ７４は、各バリア５２が閉状態とされた状態において、一端７４ａと他端７４ｂ（その先端箇所７４ｃ）とを引き離すことに抗する力を発揮する設定とされている。また、各トーションバネ７４は、その発揮する力が、レンズ鏡胴１３における固定筒３７（外装部３２）に対する可動レンズ鏡筒４０の撮影光軸ＯＡ方向へと移動される力よりも小さく設定されている。この各トーションバネ７４は、他端７４ｂ（その先端箇所７４ｃ）が設けられた各バリア５２に、軸部材５６を中心として一端７４ａが設けられた装着部５１での閉状態へ向けた回転方向への押す力を付与する。このため、各トーションバネ７４は、各バリア５２に閉じ方向へと押す力を付与する押圧部材として機能する。これにより、レンズキャップ５０が組み付けられる。
【００６５】
このように構成されたレンズキャップ５０では、各バリア５２が閉状態となると外側壁部６５が装着部５１の内縁切欠５７に嵌り込むことが可能とされていることから、各バリア５２の閉状態からさらなる閉じ方向への回転が規制されている（図１０参照）。この各バリア５２は、閉じ方向へと各トーションバネ７４から押す力が付与されていることから、各バリア５２の外側壁部６５と装着部５１の内縁切欠５７とによる回転の規制との協働により、閉状態で固定される。また、レンズキャップ５０では、各バリア５２に開き方向への力が付与されると、各トーションバネ７４に抗して各バリア５２が軸部材５６を中心とし開き方向へと回転される。この開き方向への回転可能な範囲は、上述したように、装着部５１の各支持箇所５３における受入凹所５４の外縁部分５４ａと、各バリア５２の取付箇所６６の近傍の外側壁部６５の外側面、もしくは取付箇所６６における受入凹所７１の外縁部分７１ａの外側面と、の干渉により規定により最大開状態（図１６および図１７参照）までとされている。
【００６６】
次に、このレンズキャップ５０のデジタルカメラ１０のレンズ鏡胴１３への装着について説明する。デジタルカメラ１０では、可動レンズ鏡筒４０（直進筒４１）が所定の沈胴位置（収納状態（図１（ａ）参照））とされている状態において、レンズ鏡胴１３の固定筒３７の鏡胴側連結部３８に装着されているリングキャップ３６を、固定筒３７に対して撮影光軸ＯＡを中心とする回転方向の一方に回転して、その固定筒３７（その鏡胴側連結部３８）から取り外す（図４参照）。その後、被写体側から撮影光軸ＯＡ方向にレンズキャップ５０を移動させて接近させ、各キャップ側連結部５１ａの爪部分５１ｂ（図７参照）を、固定筒３７の鏡胴側連結部３８の対応する連結箇所３８ｂの開放部分３８ｄ（図４参照）へと進行させる。その後、レンズ鏡胴１３（デジタルカメラ１０）とレンズキャップ５０とを相対的に回転させて、各爪部分５１ｂを対応する連結箇所３８ｂの爪部分３８ｃの内方へと進入させる。すると、各爪部分５１ｂが対応する爪部分３８ｃに引っ掛かることにより、各キャップ側連結部５１ａと各鏡胴側連結部３８とが適切に連結される。これにより、レンズキャップ５０は、レンズ鏡胴１３（その固定筒３７）に適切に装着される（図５参照）。
【００６７】
このとき、レンズキャップ５０では、所定の沈胴位置（収納状態（図１（ａ）参照））とされているレンズ鏡胴１３に対して、装着部５１が固定筒３７（その鏡胴側連結部３８）に装着されているのみであり、４つのバリア５２が干渉することはない（図１４（ａ）参照）。このため、レンズキャップ５０では、４つのバリア５２が閉状態とされており（図５（ａ）参照）、被写体側となる前端部にレンズ鏡胴１３（可動レンズ鏡筒４０、および撮影光学系１２の有効径（第１レンズ群１２ａ（その対物レンズ））の先端面に沿って閉状態とされた各バリア５２を存在させている（図１４（ａ）参照）。これにより、レンズキャップ５０では、レンズ鏡胴１３の先端面、すなわち可動レンズ鏡筒４０および撮影光学系１２の有効径（第１レンズ群１２ａ（その対物レンズ））を覆うことができる（図５（ａ）参照）。このとき、各バリア５２では、閉状態とされると隣接するバリア５２との間において、各区画壁部６７に設けられた段状部分７３が撮影光軸ＯＡ方向で互いに重なり合うように他方のバリア５２へ向けて突出されていることから、各区画壁部６７の間の隙間を極めて小さなものとすることができる（図１０および図１１参照）。この閉状態では、各バリア５２のカム突起６８は、可動レンズ鏡筒４０の先端部における直進筒４１の先端面４１ｃと撮影光軸ＯＡ方向で対向している（図１４（ａ）参照）。
【００６８】
また、本実施例のレンズキャップ５０（その装着部５１）では、図１３および図１４（ａ）に示すように、所定の沈胴位置（収納状態（図１（ａ）参照））とされているレンズ鏡胴１３（可動レンズ鏡筒４０、および撮影光学系１２の有効径（第１レンズ群１２ａ（その対物レンズ））の先端面と、各バリア５２の裏面（リブ突起部６２の突出端面）と、の間に、収容空間７５を形成することが可能な大きさ寸法とされている。この収容空間７５は、以下のような大きさ寸法とされている。上述したように、可動レンズ鏡筒４０の先端部には、取付環状部材７６を装着することが可能とされている（図１３参照）。この取付環状部材７６は、上述したように光学部材等の装着部材の着脱が可能とされていることから、図１３に示すように、その装着部材としての光学フィルタ７７を装着することができる。この光学フィルタ７７は、可動レンズ鏡筒４０の撮影光学系１２への入射光を調整するフィルタ部７７ａと、そのフィルタ部７７ａを取り囲む環状を呈する支持枠部７７ｂと、を有する。その支持枠部７７ｂの外周面には、取付環状部材７６の内周面に設けられた取付ねじ溝７６ｂとの噛み合いが可能とされた取付ねじ溝７７ｃが設けられている。このため、光学フィルタ７７は、取付ねじ溝７７ｃを取付ねじ溝７６ｂに噛み合わせることにより、可動レンズ鏡筒４０の先端部に装着された取付環状部材７６に取り付けることができる。上記した収容空間７５は、可動レンズ鏡筒４０の先端部に装着されて、光学フィルタ７７が取り付けられた取付環状部材７６を受け入れることが可能な大きさ寸法とされている。すなわち、レンズキャップ５０では、可動レンズ鏡筒４０の先端部に取付環状部材７６および光学フィルタ７７が設けられた状態で、各バリア５２を閉状態とすることができる（図１３参照）。
【００６９】
次に、このレンズキャップ５０の作用、すなわち外装部３２に対する可動レンズ鏡筒４０の位置に応じて各バリア５２が開閉される様子について、図１４および図１５を用いて説明する。この作用の説明では、可動レンズ鏡筒４０の先端部に上述した取付環状部材７６および光学フィルタ７７（図１３参照）が設けられていないものとする。また、この各バリア５２における回転動作は、基本的には各バリア５２でのカム突起６８の突出量の差異に拘らず等しいものであることから、先ずはその基本的な動作を図１４および図１５を用いて説明し、突出量の差異に関する動作の差異については後に説明する。
【００７０】
可動レンズ鏡筒４０（直進筒４１）が所定の沈胴位置（収納状態（図１（ａ）参照））とされていると、図１４（ａ）に示すように、各バリア５２と可動レンズ鏡筒４０とは、収容空間７５の分だけ離れた位置とされている。その後、可動レンズ鏡筒４０が固定筒３７から繰り出されると、図１４（ｂ）に示すように、可動レンズ鏡筒４０の直進筒４１の先端面４１ｃが各バリア５２のカム突起６８に当たる。さらに可動レンズ鏡筒４０が固定筒３７から繰り出されると、図１４（ｃ）に示すように、可動レンズ鏡筒４０の直進筒４１の先端面４１ｃが各バリア５２のカム突起６８を撮影光軸ＯＡ方向の被写体側へと押すことにより、各バリア５２が装着部５１の各支持箇所５３に設けられた軸部材５６を中心として、各トーションバネ７４に抗して開き方向へと回転される。さらに可動レンズ鏡筒４０が固定筒３７から繰り出されると、図１４（ｄ）に示すように、各バリア５２の開き方向への回転により、各バリア５２のカム突起６８が可動レンズ鏡筒４０の直進筒４１の先端面４１ｃの周縁部を乗り越えて、その直進筒４１の外周面４１ｄに当たる。本実施例では、各バリア５２は、この状態とされると、適切に開かれた必要開状態となる（図５（ｂ）参照）。この必要開状態とは、可動レンズ鏡筒４０に支持された撮影光学系１２における画角の外側に各バリア５２が存在する状態（画角をけることの無い状態）であることをいう。また、この必要開状態は、各バリア５２における上述した最大開状態（図１６および図１７参照）よりも小さく設定されている。このため、各バリア５２は、必要開状態からさらなる各バリア５２の開き方向への回転が可能とされている。この必要開状態のとき、各バリア５２では、カム突起６８を除くと、裏面（主にリブ突起部６２）を含めたいずれの箇所も可動レンズ鏡筒４０（その先端面４１ｃまたは外周面４１ｄ）に当たっていない。
【００７１】
本実施例では、レンズキャップ５０は、可動レンズ鏡筒４０の直進筒４１が広角位置まで固定筒３７からの繰り出されると、各バリア５２を必要開状態とするように、直進筒４１（その先端面４１ｃおよび外周面４１ｄ）に対する軸部材５６の位置とカム突起６８の位置および大きさ寸法とが設定されている。また、本実施例では、上述したように、各バリア５２のカム突起６８の突出量が異なる設定とされていることから、後述するように、この差異に伴って第３バリア５２３と第４バリア５２４とが最後に開き方向への回転動作を開始するので、第３バリア５２３と第４バリア５２４とが最後に必要開状態となる。このため、レンズキャップ５０では、可動レンズ鏡筒４０の直進筒４１が広角位置まで固定筒３７からの繰り出されると、第３バリア５２３と第４バリア５２４とを必要開状態とするように設定されている。
【００７２】
上述したように、可動レンズ鏡筒４０は、広角位置から望遠位置へ向けてさらに固定筒３７から繰り出されることが可能とされている（図１５参照）。ここで、図１５（ａ）、（ｂ）に示すように、各バリア５２を必要開状態とした状態（図１４（ｄ）および図１５（ａ）参照）から、さらに可動レンズ鏡筒４０が固定筒３７から繰り出されても、各バリア５２のカム突起６８の可動レンズ鏡筒４０の直進筒４１の外周面４１ｄにおける撮影光軸ＯＡ方向で見た接触位置が変化するのみであり、各バリア５２の必要開状態が維持される。その後、さらに可動レンズ鏡筒４０が固定筒３７から繰り出されると、図１５（ｂ）に示すように、可動レンズ鏡筒４０の直進筒４１の先端面４１ｃ（その周縁部）が各バリア５２のリブ突起部６２に当たる。さらに可動レンズ鏡筒４０が固定筒３７から繰り出されると、図１５（ｃ）に示すように、可動レンズ鏡筒４０の直進筒４１の先端面４１ｃ（その周縁部）が各バリア５２のリブ突起部６２を撮影光軸ＯＡ方向の被写体側へと押すことにより、各バリア５２が装着部５１の各支持箇所５３に設けられた軸部材５６を中心として、各トーションバネ７４に抗してさらに開き方向へと回転される。このとき、可動レンズ鏡筒４０の直進筒４１の先端面４１ｃ（その周縁部）では、各バリア５２のリブ突起部６２における径方向で見た位置を変化させつつそのリブ突起部６２を押す。さらに可動レンズ鏡筒４０が固定筒３７から繰り出されると、図１５（ｄ）に示すように、各バリア５２のリブ突起部６２すなわち各バリア５２が可動レンズ鏡筒４０の直進筒４１の先端面４１ｃの周縁部を乗り越えて、その直進筒４１の外周面４１ｄに当たる。これにより、レンズ鏡胴１３は、望遠位置となる。本実施例では、この状態であっても、各バリア５２における上述した最大開状態（図１６および図１７参照）よりも小さく、すなわち更なる各バリア５２の開き方向への回転が可能に設定されている。
【００７３】
このため、各バリア５２は、可動レンズ鏡筒４０が固定筒３７から繰り出される際、一度必要開状態とされると、その必要開状態よりも閉じ方向へと回転されることはない。また、各バリア５２は、必要開状態から更なる開き方向への回転が可能とされていることから、可動レンズ鏡筒４０（その直進筒４１）の広角位置から望遠位置への移動を妨げることはない。
【００７４】
このレンズキャップ５０では、可動レンズ鏡筒４０（その直進筒４１）が、望遠位置（図１５（ｄ）参照）から広角位置（図１５（ａ）または図１４（ｄ）参照）を経て、所定の沈胴位置（収納状態（図１４（ａ）参照））とされると、各バリア５２が各トーションバネ７４から閉じ方向への押す力を受けているので、上述した動作とは逆の動作が行われ、各バリア５２が必要開状態よりも開かれた状態（図１５（ｄ）参照）から必要開状態（図１５（ａ）または図１４（ｄ）参照）を経て閉状態（（図１４（ａ）参照）とされる。このため、レンズキャップ５０では、可動レンズ鏡筒４０（その直進筒４１）の撮影光軸ＯＡ方向への移動を妨げることはなく、その可動レンズ鏡筒４０（その直進筒４１）の固定筒３７から繰り出し動作および繰り入れ動作に応じて各バリア５２の自動的な開閉動作を行うことができる。
【００７５】
なお、可動レンズ鏡筒４０の先端部に取付環状部材７６および光学フィルタ７７が設けられている場合（図１３参照）、その光学フィルタ７７の撮影光軸ＯＡ方向での位置の設定によっては、各バリア５２では、カム突起６８と可動レンズ鏡筒４０の直進筒４１の先端面４１ｃとが当たるよりも先に、リブ突起部６２（裏面）と光学フィルタ７７とが当たることが考えられる。しかしながら、この場合であっても、その後に可動レンズ鏡筒４０が固定筒３７からさらに繰り出されると、カム突起６８と可動レンズ鏡筒４０の直進筒４１の先端面４１ｃとが当たり、そのカム突起６８と先端面４１ｃとの作用により各バリア５２が必要開状態となることから、上述した取付環状部材７６および光学フィルタ７７が設けられていない場合と同様の作用を得ることができる。
【００７６】
このレンズキャップ５０では、上述したように、各バリア５２の裏面からのカム突起６８の突出量の設定が、突出量Ｏｈ１（カム突起６８１）＞突出量Ｏｈ２（カム突起６８２）＞突出量Ｏｈ３（カム突起６８３）＝突出量Ｏｈ４（カム突起６８４）とされていることから（図１１参照）、下記のような動作となる。可動レンズ鏡筒４０（その直進筒４１）が、所定の沈胴位置（収納状態（図１（ａ）参照））から広角位置へ向けて移動されると、最も長いすなわち最も背面側まで伸びるカム突起６８１が可動レンズ鏡筒４０の直進筒４１の先端面４１ｃに当たる。この後、可動レンズ鏡筒４０が固定筒３７からさらに繰り出されると、カム突起６８１が設けられた第１バリア５２１が開き方向へと回転される。このとき、上述したように、第１バリア５２１の内端区画壁部６７１Ｂの段状部分７３１Ｂは、第２バリア５２２の内端区画壁部６７２Ｂの段状部分７３２Ｂよりも先端側に設けられており（図１１（ｄ）参照）、かつ第１バリア５２１の両側方区画壁部６７１Ａの段状部分７３１Ａは、第３バリア５２３の側方区画壁部６７３Ａの段状部分７３３Ａおよび第４バリア５２４の側方区画壁部６７４Ａの段状部分７３４Ａよりも先端側（開き方向側）に設けられていることから（図１０および図１１（ａ）参照）、各段状部分７３（７３１Ａ、７３１Ｂ）が第１バリア５２１の開き方向への回転を妨げることはない。
【００７７】
この後、可動レンズ鏡筒４０が固定筒３７からさらに繰り出されると、カム突起６８１の次に長いカム突起６８２（図１１参照）が可動レンズ鏡筒４０の直進筒４１の先端面４１ｃに当たる。この後、可動レンズ鏡筒４０が固定筒３７からさらに繰り出されると、カム突起６８２が設けられた第２バリア５２２が開き方向へと回転される。このとき、第２バリア５２２の両側方区画壁部６７２Ａの段状部分７３２Ａは、第３バリア５２３の側方区画壁部６７３Ａの段状部分７３３Ａおよび第４バリア５２４の側方区画壁部６７４Ａの段状部分７３４Ａよりも先端側（開き方向側）に設けられており（図１１（ｂ）、（ｃ）参照）、第２バリア５２２の内端区画壁部６７２Ｂの段状部分７３２Ｂよりも先端側に設けられた第１バリア５２１の内端区画壁部６７１Ｂの段状部分７３１Ｂは既に移動されていることから、各段状部分７３（７３２Ａ、７３２Ｂ）が第２バリア５２２の開き方向への回転を妨げることはない。
【００７８】
この後、可動レンズ鏡筒４０が固定筒３７からさらに繰り出されると、カム突起６８２の次に長いすなわち最も短い設定とされたカム突起６８３およびカム突起６８４（図１１参照）が可動レンズ鏡筒４０の直進筒４１の先端面４１ｃに当たる。この後、可動レンズ鏡筒４０が固定筒３７からさらに繰り出されると、カム突起６８３が設けられた第３バリア５２３およびカム突起６８４が設けられた第４バリア５２４が開き方向へと回転される。このとき、第３バリア５２３の側方区画壁部６７３Ａの段状部分７３３Ａおよび第４バリア５２４の側方区画壁部６７４Ａの段状部分７３４Ａよりも先端側に設けられた第１バリア５２１の両側方区画壁部６７１Ａの段状部分７３１Ａおよび第２バリア５２２の両側方区画壁部６７２Ａの段状部分７３２Ａは既に移動されていることから、各段状部分７３（７３３Ａ）および各段状部分７３（７３４Ａ）が第３バリア５２３および第４バリア５２４の開き方向への回転を妨げることはない。
【００７９】
また、レンズキャップ５０では、望遠位置（図１５（ｄ）参照）から広角位置（図１５（ａ）または図１４（ｄ）参照）を経て、所定の沈胴位置（収納状態（図１４（ａ）参照））とされると、上述した動作とは逆の動作が行われることから、先ず第３バリア５２３および第４バリア５２４が閉状態とされ、次に第２バリア５２２が閉状態とされ、最後に第１バリア５２１が閉状態とされることとなる。このとき、各バリア５２の各段状部分７３は、上述した位置関係（図１０および図１１参照）とされていることから、各バリア５２の閉じ方向への回転を妨げることはない。
【００８０】
このように、レンズキャップ５０では、可動レンズ鏡筒４０（その直進筒４１）の固定筒３７からの繰り出し動作に応じて、第１バリア５２１、第２バリア５２２、第３バリア５２３および第４バリア５２４の順に、必要開状態となる。また、レンズキャップ５０では、可動レンズ鏡筒４０（その直進筒４１）の固定筒３７への繰り入れ動作に応じて、第３バリア５２３および第４バリア５２４、第２バリア５２２、第１バリア５２１の順に、閉状態となる。このため、各バリア５２は、可動レンズ鏡筒４０（その直進筒４１）の撮影光軸ＯＡ方向への移動を妨げることはなく、その可動レンズ鏡筒４０（その直進筒４１）の固定筒３７から繰り出し動作および繰り入れ動作に応じて自動的に開閉動作を行うことができる。ここで、閉状態から開き方向への回転を開始するときと、閉状態へと閉じ方向への回転を終了するときと、において、各段状部分７３の干渉を防ぐものとすれば良いことから、先に開き方向へと回転したバリア５２が必要開状態となる前に、次のバリア５２が開き方向への回転を開始する構成（主にカム突起６８の突出量の設定）とすることが望ましい。
【００８１】
加えて、レンズキャップ５０では、固定筒３７（その鏡胴側連結部３８）に装着された状態において、レンズフード７８（図１６および図１７参照）の可動レンズ鏡筒４０の先端部への取り付けを可能とすることができる。これについて以下で説明する。レンズフード７８は、図１６および図１７に示すように、フード本体部７８ａとフード側取付部７８ｂとを有する。フード本体部７８ａは、被写体側へ向かうに連れて内径寸法を暫時的に拡大させる筒状を呈し、光を遮る箇所（庇）を形成している。フード側取付部７８ｂは、明確な図示は略すが、レンズフード７８（フード本体部７８ａ）を可動レンズ鏡筒４０に装着された取付環状部材７６（図１３参照）に取り付けることが可能とされている。このフード側取付部７８ｂの取付環状部材７６への取り付けは、例えば、光学フィルタ７７（図１３参照）と同様に取付環状部材７６の取付ねじ溝７６ｂ（図１３参照）を利用するものであってもよく、図示は略すが取付環状部材７６の外周面との間に爪部分３８ｃ（図４参照）および爪部分５１ｂ（図７参照）と同様のバヨネット式の装着機構を設けるものであってもよい。このレンズフード７８は、フード本体部７８ａが機能を発揮するために、当該フード本体部７８ａが可動レンズ鏡筒４０（その直進筒４１）よりも大きな径寸法とされている。このレンズキャップ５０では、各バリア５２における最大開状態を、可動レンズ鏡筒４０の先端部に取り付けられたレンズフード７８（そのフード本体部７８ａ）の受け入れを可能とするものに設定している。この最大開状態の設定は、上述したように、装着部５１の各支持箇所５３における受入凹所５４の外縁部分５４ａと、各バリア５２の取付箇所６６の近傍の外側壁部６５の外側面、もしくは取付箇所６６における受入凹所７１の外縁部分７１ａの外側面と、が干渉する位置を適宜調整することにより行うことができる。このとき、上述したように、各バリア５２の取付箇所６６の受入凹所７１の外縁部分７１ａに設けられた切欠溝７１ｂが、トーションバネ７４の一端７４ａを受け入れることにより、その一端７４ａと外縁部分７１ａとの干渉が防止されている（図１７（ｂ）参照）。このため、レンズキャップ５０では、固定筒３７（その鏡胴側連結部３８）に装着された状態であっても、各バリア５２を最大開状態まで開き方向へと回転させることにより、レンズフード７８を可動レンズ鏡筒４０の先端部に取り付けることができる。
【００８２】
本発明に係るレンズキャップ５０では、各バリア５２に、径方向で見て可動レンズ鏡筒４０の先端部の外周位置よりも内側であって撮影光学系１２の有効径（第１レンズ群１２ａ（その対物レンズ））よりも外側に存在しつつ、裏面から突出してカム突起６８が設けられていることから、固定筒３７からの可動レンズ鏡筒４０（その直進筒４１）の繰り出し量が小さな設定とされていても、各バリア５２を確実に開いた状態である必要開状態とすることができる。これは、以下のことによる。図１４に裏面にカム突起６８が設けられていない各バリア５２´を二点鎖線で示す。この各バリア５２´では、裏面（リブ突起部６２）に可動レンズ鏡筒４０の直進筒４１の先端面４１ｃ（その周縁部）が当たることにより、その可動レンズ鏡筒４０の固定筒３７に対する移動を利用して、開き方向へと回転することとなる（図１４（ｃ）、（ｄ）参照）。このため、各バリア５２´は、可動レンズ鏡筒４０の直進筒４１が広角位置まで固定筒３７から繰り出されても必要開状態とはならず（図１４（ｄ）参照）、撮影光学系１２における画角の内方に各バリア５２が存在する状態（画角をける状態）となってしまう。これに対し、本発明に係るレンズキャップ５０では、裏面から突出させたカム突起６８を、径方向で見て可動レンズ鏡筒４０における先端部の外周位置よりも内側であって撮影光学系１２の有効径（第１レンズ群１２ａ（その対物レンズ））よりも外側となる位置に、当てることができるので、可動レンズ鏡筒４０の直進筒４１が広角位置まで固定筒３７から繰り出されると、必要開状態とすることができる（図１４（ｄ）参照）。
【００８３】
また、レンズキャップ５０では、各バリア５２に、径方向で見て可動レンズ鏡筒４０の先端部の外周位置よりも内側であって撮影光学系１２の有効径（第１レンズ群１２ａ（その対物レンズ））よりも外側に存在しつつ、裏面から突出してカム突起６８が設けられていることから、固定筒３７から可動レンズ鏡筒４０（その直進筒４１）が繰り出される際、その可動レンズ鏡筒４０（先端面４１ｃ）にカム突起６８が当たった後で各バリア５２を必要開状態とするまでの間に、カム突起６８を除く裏面（特にリブ突起部６２）を含めたいずれの箇所が可動レンズ鏡筒４０と当たることを防止することができる。このため、カム突起６８を可動レンズ鏡筒４０（その先端面４１ｃ）で押させることにより、各バリア５２を開き方向へと軸部材５６を中心として回転させて確実に必要開状態とすることができる。
【００８４】
さらに、レンズキャップ５０では、カム突起６８は、各バリア５２を必要開状態とすると、可動レンズ鏡筒４０の直進筒４１の外周面４１ｄに当たることから、その可動レンズ鏡筒４０（その直進筒４１）がさらに固定筒３７から繰り出されても、必要開状態よりも閉じ方向へと各バリア５２が回転することを防止することができる。このため、固定筒３７からの繰り出し量が可動レンズ鏡筒４０（その直進筒４１）における広角位置よりも大きく設定されたレンズ鏡胴であれば、確実に必要開状態まで開くことができ、適切に対応することができる。
【００８５】
レンズキャップ５０では、各バリア５２が必要開状態からさらに開き方向へと回転することを許容していることから、可動レンズ鏡筒４０（その直進筒４１）の固定筒３７からの繰り出し量が増えた場合であって、各バリア５２の裏面（リブ突起部６２）に可動レンズ鏡筒４０の直進筒４１の先端面４１ｃ（その周縁部）が当たった場合であっても、その可動レンズ鏡筒４０（その直進筒４１）の固定筒３７からのさらなる繰り出しを阻害することを防止することができる。このため、固定筒３７からの繰り出し量が可動レンズ鏡筒４０（その直進筒４１）における広角位置よりも大きく設定されたレンズ鏡胴であれば、確実に必要開状態まで開くことができ、適切に対応することができる。
【００８６】
レンズキャップ５０では、各バリア５２がトーションバネ７４により閉じ方向へと押されていることから、可動レンズ鏡筒４０（その直進筒４１）が所定の沈胴位置（収納状態（図１４（ａ）参照））とされると、各バリア５２を閉状態とすることができるので、その各バリア５２で装着部５１の一方の開放端を塞ぐことができる。このため、可動レンズ鏡筒４０（その直進筒４１）の固定筒３７から繰り出し動作および繰り入れ動作に応じて自動的に各バリア５２の開閉動作を行うことができるとともに、可動レンズ鏡筒４０（その直進筒４１）が所定の沈胴位置（収納状態（図１４（ａ）参照））とされると、レンズ鏡胴１３、特に可動レンズ鏡筒４０の先端位置で保持された撮影光学系１２の光学素子の第１レンズ群１２ａ（その対物レンズ）を保護することができる。
【００８７】
レンズキャップ５０では、各バリア５２が平面部６１にリブ突起部６２が設けられて裏面が構成されており、そのリブ突起部６２が外端縁部分６１ａの中心と内端縁部分６１ｃの中心との間で径方向に伸びて形成されていることから、固定筒３７から広角位置を越えて繰り出された可動レンズ鏡筒４０の直進筒４１の先端面４１ｃ（その周縁部）をリブ突起部６２に確実に当てることができるので、各バリア５２を安定して回転させることができる。
【００８８】
レンズキャップ５０では、各バリア５２が平面部６１にリブ突起部６２が設けられて裏面が構成されていることから、各バリア５２の重量の増加を抑制しつつ強度を確保することができるので、可動レンズ鏡筒４０（その直進筒４１）の固定筒３７から繰り出し動作および繰り入れ動作に応じて自動的に開閉動作をより円滑なものとしつつ、レンズ鏡胴１３、特に可動レンズ鏡筒４０の先端位置で保持された撮影光学系１２の光学素子の第１レンズ群１２ａ（その対物レンズ）をより適切に保護することができる。
【００８９】
レンズキャップ５０では、各バリア５２の互いに隣り合う区画壁部６７との間に、撮影光軸ＯＡ方向で互いに重なり合うように一方のバリア５２から他方のバリア５２へ向けて突出する段状部分７３が設けられていることから、各バリア５２が閉状態とされると撮影光軸ＯＡに直交する方向で並列する各バリア５２の間の隙間を極めて小さなものとすることができるので、各バリア５２の間から塵埃が入り込むことを抑制することができる。
【００９０】
レンズキャップ５０では、各バリア５２の互いに隣り合う区画壁部６７との間に、撮影光軸ＯＡ方向で互いに重なり合うように一方のバリア５２から他方のバリア５２へ向けて突出する段状部分７３が設けられていることから、閉状態とされた各バリア５２を被写体側から見た際に各バリア５２の間から撮影光学系１２の光学素子の第１レンズ群１２ａ（その対物レンズ）が露出することを防止することができる。
【００９１】
レンズキャップ５０では、一方のバリア５２から他方のバリア５２へ向けて突出する段状部分７３を撮影光軸ＯＡ方向で互いに重ね合わせることで、各バリア５２の互いに隣り合う区画壁部６７との間の隙間を小さくするものであることから、閉状態（回転姿勢で見てそれに近い状態を含む）において各バリア５２の各区画壁部６７（段状部分７３）が接触することを防止することができるので、各バリア５２の閉状態からの開き方向への回転および閉状態への閉じ方向への回転を円滑なものとすることができる。
【００９２】
レンズキャップ５０では、各バリア５２の裏面からのカム突起６８の突出量の設定が異なるものとされていることから、固定筒３７に対する可動レンズ鏡筒４０の撮影光軸ＯＡ方向への移動に伴い各バリア５２が回転（移動）するタイミングを異なるものとすることができる。
【００９３】
レンズキャップ５０では、各バリア５２の裏面からのカム突起６８の突出量により、固定筒３７に対する可動レンズ鏡筒４０の撮影光軸ＯＡ方向への移動に伴い各バリア５２が回転するタイミングを設定することができるので、各バリア５２が開く順番およびそのタイミングと、閉じる順番およびそのタイミングと、を容易にかつ確実に設定することができる。
【００９４】
レンズキャップ５０では、各段状部分７３の撮影光軸ＯＡ方向での重なり関係に応じて、各バリア５２の裏面からのカム突起６８の突出量を設定していることから、各段状部分７３が各バリア５２の開き方向および閉じ方向への回転を妨げることを防止することができる。
【００９５】
レンズキャップ５０では、各バリア５２の裏面からのカム突起６８の突出量を設定することで、第１バリア５２１、第２バリア５２２、第３バリア５２３および第４バリア５２４の順に必要開状態とすることができるとともに、第３バリア５２３および第４バリア５２４、第２バリア５２２、第１バリア５２１の順に閉状態とすることができるので、可動レンズ鏡筒４０（その直進筒４１）の固定筒３７から繰り出し動作および繰り入れ動作に応じた各バリア５２の自動的な開閉動作を可能としつつ、各バリア５２の互いに隣り合う区画壁部６７との間に撮影光軸ＯＡ方向で互いに重なり合うように一方のバリア５２から他方のバリア５２へ向けて突出する段状部分７３を設けることができる。
【００９６】
レンズキャップ５０では、各バリア５２の裏面からのカム突起６８の突出量の設定が異なるものとされていても、各バリア５２が必要開状態となると各カム突起６８が可動レンズ鏡筒４０の直進筒４１の外周面４１ｄに当たることから、その可動レンズ鏡筒４０の直進筒４１が固定筒３７から繰り出されている際には、各バリア５２を確実に必要開状態としつつその必要開状態よりも閉じ方向へと各バリア５２が回転することを確実に防止することができる。
【００９７】
レンズキャップ５０では、所定の沈胴位置とされているレンズ鏡胴１３（可動レンズ鏡筒４０、および撮影光学系１２の有効径（第１レンズ群１２ａ（その対物レンズ））の先端面と、各バリア５２の裏面（リブ突起部６２の突出端面）と、の間に、取付環状部材７６を介して可動レンズ鏡筒４０の先端部に装着された装着部材（上記した実施例では光学フィルタ７７）を収容することが可能な大きさ寸法の収容空間７５を形成していることから、その装着部材（光学フィルタ７７）を装着したままのレンズ鏡胴１３に用いることができるので、使い勝手を向上させることができる。
【００９８】
レンズキャップ５０では、収容空間７５を利用して装着部材（上記した実施例では光学フィルタ７７）を装着した状態であっても、可動レンズ鏡筒４０（その直進筒４１）の固定筒３７から繰り出し動作および繰り入れ動作に応じたカム突起６８が可動レンズ鏡筒４０の直進筒４１の先端面４１ｃに押されることによる自動的な開閉動作が可能であることから、使い勝手を向上させることができる。
【００９９】
レンズキャップ５０では、収容空間７５を利用して装着部材（上記した実施例では光学フィルタ７７）を装着した状態であっても、その装着部材（光学フィルタ７７）の被写体側で各バリア５２を閉状態とすることができるので、その装着部材（光学フィルタ７７）およびレンズ鏡胴１３を適切に保護することができる。
【０１００】
レンズキャップ５０では、各バリア５２における最大開状態が、可動レンズ鏡筒４０の先端部に取り付けられたレンズフード７８（そのフード本体部７８ａ）の受け入れを可能とするものに設定されていることから、固定筒３７に装着された状態におけるレンズフード７８の可動レンズ鏡筒４０の先端部への取り付けを可能とすることができる。
【０１０１】
レンズキャップ５０では、固定筒３７に装着された状態において、レンズフード７８の可動レンズ鏡筒４０の先端部への取り付けを可能とすることから、レンズフード７８を用いるためだけに固定筒３７から取り外す必要がないので、手間を省きつつ紛失を防止することができ、使い勝手を向上させることができる。
【０１０２】
レンズキャップ５０では、各バリア５２の取付箇所６６の受入凹所７１の外縁部分７１ａを装着部５１の支持箇所５３に設けられた軸部材５６の径方向の外側まで伸びる構成とするとともに、その外縁部分７１ａに各バリア５２を最大開状態まで開き方向へと回転させた際にトーションバネ７４の一端７４ａを受け入れる切欠溝７１ｂを設けていることから、各バリア５２が閉状態とされた際に外縁部分７１ａが支持箇所５３の受入凹所５４の外縁部分５４ａと協働してその支持箇所５３（受入凹所５４）の内方の露出を大幅に抑制することを可能としつつ、各バリア５２や取付箇所６６や支持箇所５３ひいてはレンズ鏡胴１３に不測の負荷がかかることを抑制することができる。これは、トーションバネ７４の一端７４ａと外縁部分７１ａとが干渉すると、各バリア５２を開き方向へと回転させる力が、取付箇所６６や支持箇所５３に作用するとともに、その支持箇所５３が設けられた装着部５１が装着されたレンズ鏡胴１３の固定筒３７（外装部３２）に不測の負荷がかかる虞があることによる。
【０１０３】
レンズキャップ５０では、各バリア５２の取付箇所６６の受入凹所７１の外縁部分７１ａに設けられた切欠溝７１ｂが、トーションバネ７４の一端７４ａを受け入れることにより、その一端７４ａと外縁部分７１ａとの干渉を防止することから、各バリア５２を軸部材５６回りで閉じ方向へとトーションバネ７４で押すことを可能としつつ各バリア５２を最大開状態まで開き方向へと回転させることができる。
【０１０４】
したがって、本発明に係るレンズキャップ５０では、固定筒３７（外装部３２）に対する可動レンズ鏡筒４０の繰り出し量の小さな設定のレンズ鏡胴１３であっても、バリア５２を確実に開いた状態（必要開状態）とすることができる。
【０１０５】
なお、上記した実施例では、本発明に係るレンズキャップの一例について説明したが、固定筒からの光軸方向への繰り出しおよび該固定筒への繰り入れを可能とする可動レンズ鏡筒を備えるレンズ鏡胴に装着されるレンズキャップであって、前記固定筒へ装着するための環状の装着部と、該装着部の内方を塞ぎつつ前記可動レンズ鏡筒の先端を覆うべく該装着部に設けられた少なくとも１つのバリアと、を備え、該バリアは、光軸方向に直交する開閉軸線回りに回転可能に前記装着部に支持され、前記バリアには、該バリアが前記装着部の内方を塞いだ状態において前記可動レンズ鏡筒と対向される裏面から、光軸方向に直交する方向で見た前記可動レンズ鏡筒における有効径の外側で、前記可動レンズ鏡筒の先端へ向けて突出するカム突起が設けられているレンズキャップであればよく、上記した実施例に限定されるものではない。
【０１０６】
また、上記した実施例では、４つのバリア５２（第１バリア５２１、第２バリア５２２、第３バリア５２３および第４バリア５２４）で装着部５１の一方の開放端を塞ぐものとしていたが、当該開放端を塞ぐことが可能であって径方向で見て可動レンズ鏡筒４０の先端部の外周位置よりも内側でかつ撮影光学系１２の有効径よりも外側に存在しつつ裏面から突出してカム突起６８が設けられているバリアであれば、その個数は適宜設定すればよく、上記した実施例に限定されるものではない。
【０１０７】
さらに、上記した実施例では、レンズキャップ５０の装着対象の一例としてレンズ鏡胴１３（デジタルカメラ１０）を示していたが、固定筒（外装部）からの繰り出しおよびその固定筒（外装部）への繰り入れを可能とされた可動レンズ鏡筒を有するレンズ鏡胴であればよく、上記した実施例に限定されるものではない。
【０１０８】
上記した実施例では、各カム突起６８が、広角位置まで繰り出された可動レンズ鏡筒４０の直進筒４１の先端面４１ｃの周縁部を乗り越える（外周面４１ｄに当たる）と各バリア５２を必要開状態とするものとされていたが、可動レンズ鏡筒４０（その直進筒４１）が撮影待機位置において固定筒３７（外装部３２）に対して最も繰出量が小さな状態とされた際に各バリア５２を少なくとも必要開状態よりも開いた状態とすべく可動レンズ鏡筒４０の先端面（４１ｃ）もしくは外周面（４１ｄ）に当たるものであればよく、上記した実施例に限定されるものではない。
【０１０９】
上記した実施例では、各バリア５２の裏面からのカム突起６８の突出量が異なるものとされていたが、固定筒３７（外装部３２）に対する可動レンズ鏡筒４０の繰り出し量の小さな設定のレンズ鏡胴１３であっても、バリア５２を確実に開いた状態（必要開状態）とすることができるものであれば、互いに等しいものであってもよく、上記した実施例に限定されるものではない。
【０１１０】
上記した実施例では、各バリア５２の互いに隣り合う区画壁部６７との間に、撮影光軸ＯＡ方向で互いに重なり合うように一方のバリア５２から他方のバリア５２へ向けて突出する段状部分７３が設けられていたが、この各段状部分７３を設けない構成としてもよく、上記した実施例に限定されるものではない。
【０１１１】
上記した実施例では、レンズキャップ５０のキャップ側連結部５１ａ（その爪部分５１ｂ）と、レンズ鏡胴１３の固定筒３７の鏡胴側連結部３８の各連結箇所３８ｂ（その爪部分３８ｃ）と、がバヨネット式の装着機構とされていたが、内方で可動レンズ鏡筒４０が撮影光軸ＯＡ方向へと繰り出される固定筒３７への着脱自在な装着を可能とするものであればよく、上記した実施例に限定されるものではない。
【０１１２】
上記した実施例では、所定の沈胴位置（収納状態（図１（ａ）参照））とされているレンズ鏡胴１３（可動レンズ鏡筒４０、および撮影光学系１２の有効径（第１レンズ群１２ａ（その対物レンズ））の先端面と、各バリア５２の裏面（リブ突起部６２の突出端面）と、の間に、取付環状部材７６を介して可動レンズ鏡筒４０の先端部に装着された装着部材（上記した実施例では光学フィルタ７７）を収容することが可能な大きさ寸法の収容空間７５を形成するものとされていたが、この収容空間７５を形成しない構成としてもよく、上記した実施例に限定されるものではない。
【０１１３】
上記した実施例では、押圧部材として各バリア５２にトーションバネ７４が設けられていたが、押圧部材は各バリア５２に閉じ方向へと押す力を付与するものであればよく、上記した実施例に限定されるものではない。
【０１１４】
以上、本発明のレンズキャップを実施例に基づき説明してきたが、具体的な構成については実施例に限られるものではなく、本発明の要旨を逸脱しない限り、設計の変更や追加等は許容される。
【符号の説明】
【０１１５】
１３  （レンズキャップ５０の装着対象の一例としての）レンズ鏡胴
３７  固定筒
４０  可動レンズ鏡筒
４１  （カム突起が当てられる可動レンズ鏡筒の一例としての）直進筒
４１ｄ  （カム突起が当てられる可動レンズ鏡筒の外周面の一例としての）外周面
５０  （本発明に係るレンズキャップの一例としての）レンズキャップ
５１  装着部
５２  バリア
５２１  第１バリア
５２２  第２バリア
５２３  第３バリア
５２４  第４バリア
５６  （開閉軸線を規定する）軸部材
６１  平面部
６２  リブ突起部
６７  区画壁部
６８  カム突起
６８１  カム突起
６８２  カム突起
６８３  カム突起
６８４  カム突起
７１ｂ  切欠溝
７３  段状部分
７３１  段状部分
７３１Ａ  段状部分
７３１Ｂ  段状部分
７３２  段状部分
７３２Ａ  段状部分
７３２Ｂ  段状部分
７３３Ａ  段状部分
７３４Ａ  段状部分
７４  （押圧部材の一例としての）トーションバネ
７４ａ  一端
７５  収容空間
ＯＡ  （光軸の一例としての）撮影光軸
【先行技術文献】
【特許文献】
【０１１６】
【特許文献１】特開２００９−２５８６００号公報
【図１】
0005942408.tif 000002
【図２】
0005942408.tif 000003
【図３】
0005942408.tif 000004
【図４】
0005942408.tif 000005
【図５】
0005942408.tif 000006
【図６】
0005942408.tif 000007
【図７】
0005942408.tif 000008
【図８】
0005942408.tif 000009
【図９】
0005942408.tif 000010
【図１０】
0005942408.tif 000011
【図１１】
0005942408.tif 000012
【図１２】
0005942408.tif 000013
【図１３】
0005942408.tif 000014
【図１４】
0005942408.tif 000015
【図１５】
0005942408.tif 000016
【図１６】
0005942408.tif 000017
【図１７】
0005942408.tif 000018